(57)【要約】塗料サンプルの種々の提案された塗料コーティングへの合致を表示するためのコンピュータ化方法は、コーティング測定器具から標的コーティングの１つ以上のコーティングテクスチャ変数を受信することを含む。方法は、デジタルディスプレイデバイス上で、デジタルディスプレイデバイス上の複数のそれぞれの提案されたコーティング合致相手のための効果テクスチャ評価を表示することも含み、効果テクスチャ評価は、標的コーティングの１つ以上のコーティングテクスチャ変数とそれぞれの提案されたコーティング合致相手の各々のそれぞれのコーティングテクスチャ変数との間の類似性を示す。加えて、方法は、提案されたコーティング合致相手を順序付けることを含み、順序付けは、効果テクスチャ評価に関する標的コーティングと提案されたコーティング合致相手の各々との間の類似性における強度を示す。
2019512674.tif 000002
【特許請求の範囲】
【請求項１】
１つ以上のプロセッサと、システムメモリと、コンピュータ実行可能命令を記憶している１つ以上のコンピュータ読み取り可能な媒体とを備えているコンピュータシステム上での実行のためのコンピュータ化方法であって、前記方法は、塗料サンプルの種々の提案された塗料コーティングへの合致を表示するためのものであり、前記方法は、
コーティング測定器具から標的コーティングの１つ以上のコーティングテクスチャ変数を受信するステップと、
デジタルディスプレイデバイス上で、前記デジタルディスプレイデバイス上の複数のそれぞれの提案されたコーティング合致相手のための効果テクスチャ評価を表示するステップであって、前記効果テクスチャ評価は、前記標的コーティングの前記１つ以上のコーティングテクスチャ変数と前記それぞれの提案されたコーティング合致相手の各々のそれぞれのコーティングテクスチャ変数との間の類似性を示す、ステップと、
前記提案されたコーティング合致相手を順序付けるステップと
を含み、
前記順序付けは、前記効果テクスチャ評価に関する前記標的コーティングと前記提案されたコーティング合致相手の各々との間の類似性における強度を示す、方法。
【請求項２】
前記コーティング測定器具から前記標的コーティングの１つ以上のスパークル色変数を受信することと、
前記デジタルディスプレイデバイス上で、各提案されたコーティング合致相手のためのスパークル色評価を表示することと
をさらに含み、
前記スパークル色評価は、前記標的コーティングの前記１つ以上のスパークル色変数と各提案されたコーティング合致相手のそれぞれのスパークル色変数との間の類似性を示し、
前記順序付けは、前記スパークル色評価に関する前記標的コーティングと各提案されたコーティング合致相手との間の類似性における強度も示す、請求項１に記載の方法。
【請求項３】
前記コーティング測定器具から前記標的コーティングの１つ以上のコーティング変数を受信することと、
前記デジタルディスプレイデバイス上で、各提案されたコーティング合致相手のためのコーティング色評価を表示することと
をさらに含み、
前記コーティング色評価は、前記標的コーティングの前記１つ以上のコーティング色変数と各提案されたコーティング合致相手のそれぞれのコーティング色変数との間の類似性を示し、
前記順序付けは、前記コーティング色評価に関する前記標的コーティングと各提案されたコーティング合致相手との間の類似性における強度も示す、請求項１に記載の方法。
【請求項４】
ユーザ入力から好ましい評価を受信することをさらに含み、前記好ましい評価は、効果テクスチャ、コーティングスパークル色、またはコーティング色であり、前記順序付けは、前記好ましい評価に優先順位を付けることによって決定される、請求項３に記載の方法。
【請求項５】
ユーザ入力から１つ以上の評価閾値を受信することをさらに含み、前記１つ以上の評価閾値は、効果テクスチャ、コーティングスパークル色、またはコーティング色に関連するユーザ定義された許容可能閾値を定義し、前記順序付けは、前記１つ以上の評価閾値を考慮する、請求項３に記載の方法。
【請求項６】
前記コーティング測定器具から前記標的コーティングの１つ以上のコーティング色トラベル変数を受信することと、
前記デジタルディスプレイデバイス上で、各提案されたコーティング合致相手のためのコーティング色トラベル評価を表示することと
をさらに含み、
前記コーティング色トラベル評価は、前記標的コーティングの前記１つ以上のコーティング色トラベル変数と各提案されたコーティング合致相手のそれぞれのコーティング色トラベル変数との間の類似性を示し、
前記順序付けは、前記コーティング色トラベル評価に関する前記標的コーティングと各提案されたコーティング合致相手との間の類似性における強度も示す、請求項１に記載の方法。
【請求項７】
各提案されたコーティング合致相手のための前記コーティング色トラベル評価を表示することは、フェイス色またはフロップ色における差異を示す視覚指示を表示することを含む、請求項６に記載の方法。
【請求項８】
前記効果テクスチャ評価を表示することは、各提案されたコーティング合致相手が前記標的コーティングよりも粗いか、または前記標的コーティングよりも微細であるかを示す視覚指示を表示することを含む、請求項１に記載の方法。
【請求項９】
前記効果テクスチャ評価を表示することは、各提案されたコーティング合致相手が前記標的コーティングを上回るテクスチャを備えているか、または前記標的コーティングを下回るテクスチャを備えているかを示す効果テクスチャ視覚指示を表示することを含む、請求項１に記載の方法。
【請求項１０】
ディスプレイデバイスと、１つ以上のプロセッサと、システムメモリとを備えているコンピュータシステム上での実行のためのコンピュータ化方法であって、前記方法は、１つ以上の提案された合致する色の種々の属性を説明する値を表示するためのものであり、前記方法は、
コーティング測定器具から標的コーティングの複数のコーティング変数を受信することと、
前記標的コーティングとの複数のそれぞれの提案されたコーティング合致相手に対するデータを受信することであって、前記データは、色データ、テクスチャデータ、および１つ以上のスパークル色評価を備え、前記複数のそれぞれの提案されたコーティング合致相手は、少なくとも部分的に、スパークル色変数の前記標的コーティングとの合致に基づいて合致させられる、ことと、
ユーザインターフェースにおいて、各提案されたコーティング合致相手の受信されたスパークル色評価を表示することと、
各提案されたコーティング合致相手の全体的ランキングを表示することと
を含み、
前記全体的ランキングは、前記標的コーティングと各提案されたコーティング合致相手とに関するスパークル色評価の類似性を示す、方法。
【請求項１１】
前記受信されたテクスチャデータは、各提案されたコーティング合致相手のための効果テクスチャ評価を備え、前記効果テクスチャ評価は、前記標的コーティングの１つ以上のコーティングテクスチャ変数と各提案されたコーティング合致相手のそれぞれのコーティングテクスチャ変数との間の類似性を示し、
前記全体的ランキングは、前記標的コーティングと各提案されたコーティング合致相手とに関する効果テクスチャ評価の類似性も示す、請求項１０に記載の方法。
【請求項１２】
前記受信された色データは、各提案されたコーティング合致相手のためのコーティング色評価を備え、前記コーティング色評価は、前記標的コーティングの前記１つ以上のコーティング色変数と各提案されたコーティング合致相手のそれぞれのコーティング色変数との間の類似性を示し、
前記全体的ランキングは、前記標的コーティングと各提案されたコーティング合致相手とに関するコーティング色評価の類似性も示す、請求項１１に記載の方法。
【請求項１３】
ユーザの好ましい評価に対応するデータを受信することをさらに含み、前記好ましい評価は、効果テクスチャ、スパークル色、またはコーティング色であり、前記全体的ランキングは、前記好ましい評価も示す、請求項１２に記載の方法。
【請求項１４】
１つ以上の評価閾値に対応するデータを受信することをさらに含み、前記１つ以上の評価閾値は、効果テクスチャ、コーティングスパークル色、またはコーティング色に関連するユーザ定義された許容可能閾値を定義し、前記全体的ランキングは、前記１つ以上の評価閾値を考慮する、請求項１２に記載の方法。
【請求項１５】
各提案されたコーティング合致相手のためのコーティング色トラベル評価に対応するデータを受信することをさらに含み、前記コーティング色トラベル評価は、前記標的コーティングの１つ以上のコーティング色トラベル変数と各提案されたコーティング合致相手のそれぞれのコーティング色トラベル変数との間の類似性を示し、前記全体的ランキングは、前記標的コーティングと各提案されたコーティング合致相手とに関する前記コーティング色トラベル評価の類似性も示す、請求項１０に記載の方法。
【請求項１６】
各提案されたコーティング合致相手のための前記効果テクスチャ評価は、各提案されたコーティング合致相手が前記標的コーティングよりも粗いか、または前記標的コーティングよりも微細であるかをさらに示す、請求項１１に記載の方法。
【請求項１７】
各提案されたコーティング合致相手のための前記効果テクスチャ評価は、各提案されたコーティング合致相手が前記標的コーティングを上回るテクスチャを有するか、または前記標的コーティングを下回るテクスチャを有するかを示す、請求項１１に記載の方法。
【請求項１８】
前記スパークル色評価に基づいて表示される全体的ランキングは、前記標的コーティング内の第１の着色テクスチャスパークルの第２の着色テクスチャスパークルに対するスパークル色比率も示す、請求項１０に記載の方法。
【請求項１９】
コンピュータ実行可能命令を記憶している１つ以上のコンピュータ記憶媒体を備えているコンピュータプログラム製品であって、前記命令は、プロセッサにおいて実行されると、コンピュータシステムに塗料サンプルの種々の提案された塗料コーティングへの合致を表示する方法を実施させ、前記方法は、
コーティング測定器具から標的コーティングの１つ以上のコーティングテクスチャ変数を受信することと、
デジタルディスプレイデバイス上で、前記デジタルディスプレイデバイス上の複数のそれぞれの提案されたコーティング合致相手のための効果テクスチャ評価を表示することであって、前記効果テクスチャ評価は、前記標的コーティングの１つ以上のコーティングテクスチャ変数と前記それぞれの提案されたコーティング合致相手の各々のそれぞれのコーティングテクスチャ変数との間の類似性を示す、ことと、
前記提案されたコーティング合致相手を順序付けることと
を含み、
前記順序付けは、前記効果テクスチャ評価に関する前記標的コーティングと前記提案されたコーティング合致相手の各々との間の類似性における強度を示す、コンピュータプログラム製品。
【請求項２０】
コンピューティングシステムにおける実行のためのコンピュータ化方法であって、前記コンピュータ化システムは、メモリと、少なくとも１つのプロセッサと、記憶デバイスとを備え、前記方法は、コーティングテクスチャに関連する未加工分光光度計データに基づいて、標的コーティングを別のコーティングに合致させるグラフィカルユーザインターフェースをディスプレイデバイス上に表示するためのものであり、前記方法は、
標的コーティングの色を示すアイコンをグラフィカルユーザインターフェース上に表示することであって、前記アイコンは、標的物体に適用される標的コーティングに対する取得される未加工分光光度データに応答して、前記コンピューティングシステムによって選択される、ことと、
データベース内に記憶されている事前決定されたコーティング情報に対する前記標的コーティングの潜在的合致相手の量を示す数字を表示することであって、前記合致相手は、前記標的コーティングからのテクスチャ変数および人が提供した印象データの相関に基づく、ことと、
前記グラフィカルユーザインターフェース上に表示される各潜在的合致相手のために、
前記潜在的合致相手を視覚的に表すアイコンを表示することと、
スライダバーの視覚描写を表示することであって、前記スライダバーは、前記標的コーティングと前記潜在的合致相手との間の相対的テクスチャ差異を示す、ことと、
前記標的コーティングに関連付けられる製造業者を視覚的に示す少なくとも１つのフィールドを表示することと、
前記潜在的合致相手のための色値を視覚的に示す少なくとも１つのフィールドを表示することと、
前記潜在的合致相手のためのテクスチャ値を視覚的に示す少なくとも１つのフィールドを表示することと
を含む、方法。
【発明の詳細な説明】
【背景技術】
【０００１】
コーティングは、保護ならびに製品および構造に視覚的魅力を追加するために、数百年にわたって使用されている。例えば、家屋は、気候から下層壁板を保護するために、および、家屋に審美的品質を追加するためにも、塗装または着色される。同様に、自動車は、車両の金属本体を保護するために、および、車両に視覚的魅力を追加するためにも、時として、複数の特定用途層を用いて塗装される。
【０００２】
種々のコーティングは、特定の特徴および特性を有し得る、それらは、ある使用のために有益であるか、または望ましい。例えば、異なるコーティングが、異なる導電性特性、異なる化学反応特性、異なる硬度特性、異なるＵＶ特性、および他の用途特定の特性を有することができる。加えて、コーティングは、独特の視覚的特徴を備え得る。例えば、いくつかの自動車コーティングは、コーティングに独特の視覚効果を与えるテクスチャ特徴を備えている。
【０００３】
高度に一貫したコーティング組成物を提供する能力は、多くの異なるコーティング市場において重要な側面である。例えば、一貫した色および視覚特徴を備えていることは、装飾的コーティングのために望ましい。同様に、以前に適用されたコーティングを利用可能なコーティング色に合致させる能力も、重要である。例えば、自動車のコーティングにおける傷を修理するとき、元々のコーティングの色およびテクスチャの両方を合致させることが、望ましい。コーティングを合致させる能力は、標的コーティングを正しく識別すること、および／または、標的コーティングに合致する許容可能な組成物を正しく識別することを行うための一貫したコーティング組成物およびツールの両方を要求する。
【０００４】
有意な技術的困難が、複雑なコーティングおよびテクスチャ情報をエンドユーザに提供することにおいて存在する。例えば、コーティング情報は、異なる角度からの多数の異なる測定値を伴う。結果として生じるデータセットは、大きく、実践において使用することが困難であり得る。したがって、大きいコーティングデータセットを処理し、使用および理解することが容易である一貫した用語において結果として生じる情報をエンドユーザに提示するための技術的に十分な方法およびスキームの必要性がある。
【発明の概要】
【課題を解決するための手段】
【０００５】
本発明は、とりわけ、コンピュータ化ディスプレイ等を介して、標的コーティングと提案されたコーティング合致相手との間の容易に理解される視覚的相関を提供するためのコンピュータ実装方法、システム、およびコンピュータプログラム製品を備えている。
【０００６】
例えば、本発明は、塗料サンプルの種々の提案された塗料コーティングへの合致を表示する方法および対応するコンピュータプログラム製品を備えている。方法は、コーティング測定器具から標的コーティングの１つ以上のコーティングテクスチャ変数を受信することを含む。方法は、デジタルディスプレイデバイス上で、デジタルディスプレイデバイス上の複数のそれぞれの提案されたコーティング合致相手に関する効果テクスチャ評価を表示することも含む。効果テクスチャ評価は、標的コーティングの１つ以上のコーティングテクスチャ変数とそれぞれの提案されたコーティング合致相手の各々のそれぞれのコーティングテクスチャ変数との間の類似性を示す。加えて、方法は、提案されたコーティング合致相手を順序付けることを含み、順序付けは、効果テクスチャ評価に関する標的コーティングと提案されたコーティング合致相手の各々との間の類似性における強度を示す。
【０００７】
本発明は、１つ以上の提案された合致する色の種々の属性を説明する値を表示する方法も含む。方法は、コーティング測定器具から、標的コーティングの複数のコーティング変数を受信することを含む。方法は、標的コーティングとの複数のそれぞれの提案されたコーティング合致相手に関するデータを受信することも含み、データは、色データ、テクスチャデータ、および１つ以上のスパークル色評価を備えている。複数のそれぞれの提案されたコーティング合致相手は、少なくとも部分的に、スパークル色変数の標的コーティングとの合致に基づいて合致させられる。加えて、方法は、ユーザインターフェースにおいて、各提案されたコーティング合致相手の受信されたスパークル色評価を表示することを含む。さらに、方法は、各提案されたコーティング合致相手の全体的ランキングを表示することを含み、全体的ランキングは、標的コーティングと各提案されたコーティング合致相手とのスパークル色評価の類似性を示す。
【０００８】
加えて、本発明は、コーティングテクスチャに関連する未加工分光光度計データに基づいて、標的コーティングを別のコーティングに合致させるグラフィカルユーザインターフェースをディスプレイデバイス上に表示する方法を含む。方法は、標的コーティングの色を示すアイコンをグラフィカルユーザインターフェース上に表示することを含み、アイコンは、標的物体に適用される標的コーティングに対する取得される未加工分光光度データに応答して、コンピューティングシステムによって選択される。方法は、データベース内に記憶されている事前決定されたコーティング情報に対する標的コーティングの潜在的合致相手の量を示す数字を表示することも含み、合致相手は、標的コーティングからのテクスチャ変数および人が提供した印象データの相関に基づく。加えて、方法は、グラフィカルユーザインターフェース上に表示される各潜在的合致相手のために、潜在的合致相手を視覚的に表すアイコンを表示することと、スライダバーの視覚描写を表示することであって、スライダバーは、標的コーティングと潜在的合致相手との間の相対的テクスチャ差異を示す、ことと、標的コーティングに関連付けられる製造業者を視覚的に示す少なくとも１つのフィールドを表示することと、潜在的合致相手のための色値を視覚的に示す少なくとも１つのフィールドを表示することと、潜在的合致相手のためのテクスチャ値を視覚的に示す少なくとも１つのフィールドを表示することとを含む。
【０００９】
本発明の例示的実装の追加の特徴および利点が、続く説明に記載され、説明から部分的に明白となるか、またはそのような例示的実装の実践によって学習され得る。そのような実装の特徴および利点は、添付される請求項において特に指摘される器具および組み合わせを用いて認識および取得され得る。これらおよび他の特徴は、以下の説明および添付される請求項からより完全に明白となるか、または以降に記載されるようなそのような例示的実装の実践によって学習され得る。
【図面の簡単な説明】
【００１０】
本発明の上記および他の利点および特徴が取得され得る様式を説明するために、上記に簡潔に説明される本発明のより具体的説明が、添付される図面を参照することによって以下に与えられるであろう。これらの図面は、本発明の例示的または典型的な実装のみを描写し、したがって、その範囲の限定であるように見なされるべきではないという理解の下、本発明は、付随の図面の使用を通して、追加の特異性および詳細を用いて描写ならびに説明されるであろう。
【００１１】
【図１】図１は、本発明の実装による、コーティングテクスチャを計算するためのシステムの概略図を描写する。
【００１２】
【図２Ａ】図２Ａは、本発明の実装による、相対的テクスチャ特性チャートおよび付随の例示的コーティングを描写する。
【００１３】
【図２Ｂ】図２Ｂは、本発明の実装による、別の相対的テクスチャ特性チャートおよび付随の例示的コーティングを描写する。
【００１４】
【図２Ｃ】図２Ｃは、本発明の実装による、さらに別の相対的テクスチャ特性チャートおよび付随の例示的コーティングを描写する。
【００１５】
【図３】図３は、本発明の実装による、相対的テクスチャ特性の線チャートを描写する。
【００１６】
【図４】図４は、本発明の実装による、テクスチャ変数の表を描写する。
【００１７】
【図５】図５は、本発明の実装による、知覚されるテクスチャ特性の相関のグラフを描写する。
【００１８】
【図６】図６は、本発明の実装による、例示的コーティングテクスチャ情報ユーザインターフェースを描写する。
【００１９】
【図７】図７は、本発明の実装による、別の例示的コーティングテクスチャ情報ユーザインターフェース７００を描写する。
【００２０】
【図８】図８は、本発明の実装による、塗料サンプルを種々の提案された塗料コーティングに合致させる方法におけるステップのフローチャートを描写する。
【発明を実施するための形態】
【００２１】
本発明は、概して、コンピュータ化ディスプレイ等を介して、分光光度データ等の複雑な未加工データから作製される、標的コーティングと提案されたコーティング合致相手との間の容易に理解される視覚的相関を提供する方法、システム、およびコンピュータプログラム製品に関する。
【００２２】
特に、本発明は、人間の理解可能な定質的値（例えば、「粗度」、「スパークル」、「強度」等）を使用する大いに信頼性のある方法で、広い範囲のコーティングテクスチャを有する標的コーティングの合致相手を表示するための新規かつ革新的なコンピュータ化方法を提供する。したがって、特性を殆ど理解できない、または別様に理解することが困難なコーティング合致相手を表示する従来の方法と対照的に、本発明は、一般人によって理解可能な広い範囲の単純かつクリアな情報を提供することができる。特に、本発明は、分析されたコーティングのための真の視覚的合致を提供することができ、それによって、標的コーティングが、一般集団の多くの標本の視覚的印象（典型的には、人間の印象）に基づく基準データに合致させられ得る。したがって、本発明は、少なくとも部分的に、色スパークルおよび他の有意義なデータに基づいて、標的コーティングと複数の他の提案された合致させられるコーティングとの間の合致を識別するためのより単純かつより正確な手段を提供することができる。
【００２３】
コーティング情報を提供するために、システムは、最初に、分光光度データをデータベース内のコーティング情報と相関させるであろう。これらの線に沿って、図１−５は、最終的な表示のためにコーティングテクスチャおよび対応するコーティング合致相手を計算することにおける使用のための種々の概略図および機構図を描写する（但し、図６−８は、合致相手および基本的合致データの表示を対象とする）。例えば、図１は、例示的コンピュータシステム１０５を描写し、それは、描写されるデスクトップコンピュータシステムならびに／または、任意の１つ以上のラップトップコンピュータ、モバイルデバイス、および携帯情報端末（ＰＤＡ）、ならびに遠隔データもしくはアプリケーションサーバ（図示せず）を含むより複合的なシステム等、任意の数または組み合わせのコンピューティングデバイス１６０を備えていることができる。図１は、システム１０５が１つ以上のコーティング情報データベース１４０を含み得ることをさらに示す。
【００２４】
ここでより完全に理解されるように、コーティング情報データベース１４０は、種々のコーティング特性およびコーティング特性の人の知覚に関連する多種多様な情報を含むことができ、１つ以上の「相対的テクスチャ特性データベース」に関連するデータを含むことができる。図１は、１つ以上のコーティング情報データベース１４０が、コーティングテクスチャ計算ソフトウェアアプリケーション１００内のデータ構造等、システム１０５内に統合され得ること、または、それがコーティングテクスチャソフトウェアアプリケーション１００にローカルまたは遠隔に位置する専用建造データベース内に位置し得ることをさらに示す。ソフトウェアアプリケーションプログラム１００は、順に、本明細書に説明されるステップおよび機能を実行するように構成される任意の数のコンピュータ実行可能モジュールを備え得ることを認識されたい。
【００２５】
本明細書および請求項の目的のために、「モジュール」は、１つ以上の論理的コンピュータ実行可能機能および／または１つ以上のコンピュータアプリケーションサブルーチンの組を意味し、それらは、コーティングテクスチャ計算ソフトウェアアプリケーション内で実行される。一方、「コンポーネント」は、カメラ対応分光光度計１１０等、コンピュータシステム１０５内で使用される物理的コンポーネントとして本明細書では理解される。加えて、「データベース」は、コンピュータベースのデータ構造を意味し、例えば、リンクされたリスト、ハッシュマップ、ＳＱＬデータベース、および他の編成されたデータを含む。当業者は、モジュール、コンポーネント、およびデータベースに関する上記の定義がある程度恣意的であり、当業者が本明細書に列挙される各それぞれのモジュールならびにコンポーネントの範囲および目的を判別することが可能であろうことを容易に認識および理解するであろう。
【００２６】
図１に再び目を向けると、少なくとも一実施形態では、データ入力モジュール１２０が、カメラ対応分光光度計１１０（または本明細書では「分光光度計１１０」）から、標的コーティング（図示せず）から取得された画像からのある「標的コーティングテクスチャ変数」およびコーティング色変数を受信するように構成されることができる。本明細書で理解されるように、「標的コーティング」は、概して、デバイス、自動車、壁等の標的物体（図示せず）への塗布後の塗料、光沢、染料、または他の適用される処理等のコーティングを意味する。しかしながら、標的コーティングは、そのように限定されず、いくつかの実装では、主として塗布されない溶液を含み得る。
【００２７】
加えて、「標的コーティングテクスチャ変数」は、標的コーティングの独特の属性を反映する標的コーティングから受信される未加工データを意味し、それは、順に、少なくとも部分的に、コーティング混合物内の基本的テクスチャ要素（例えば、アルミニウムフレーク、破砕された雲母、真珠等）に基づく。テクスチャ要素は、コーティングと組み合わさり、それらは、分光光度計データに反映される対応するテクスチャ効果を生成し、したがって、コーティングごとに独特のプロファイルまたはシグネチャを生成する。したがって、説明を目的として、この用語の「可変」側面は、概して、コーティングされた物体から分光光度計１１０によって取得される受信されたテクスチャデータが、概して、同一のテクスチャ要素を伴う同一のコーティング内で一貫するであろうが、異なるテクスチャ要素を伴うコーティング（同一または異なるコーティング）を伴うデータのある点において「変動する」であろうという考えに基づく。したがって、本明細書でより完全に理解されるように、標的コーティングテクスチャ変数は、本質的に、企業のコーティング集合のうちの特定のコーティング内のテクスチャ要素のためのテクスチャ「シグネチャ」である。
【００２８】
異なるカメラ対応分光光度計（例えば、それらのブランド）が、任意の特定のコーティングテクスチャに対する出力として異なる未加工データおよび異なる変数を中継するであろうことを当業者は容易に認識するであろうが、異なるカメラ対応分光光度計間の未加工データは、依然として、本発明に従って処理され、コーティングごとに独特の「シグネチャ」（または「標的コーティングテクスチャ変数」の組）を提供することができる。これは、概して、所与のカメラ対応分光光度計が、標的コーティングからテクスチャ変数を測定するための内部的に一貫したスキームを備えているときの場合であろう。したがって、本明細書でより完全に理解されるように、任意の所与の分光光度計から取得されたデータの正確な値は、通常、特定のタイプのテクスチャ要素を伴うコーティング間で一貫するデータにおける分散ほど関連しないことを認識されたい。
【００２９】
コーティングデータは、分光光度計１１０を通したいくつかの異なる方法で取得され得ることを認識されたい。いくつかの実施形態では、例えば、標的コーティングテクスチャ変数は、コーティングテクスチャ計算ソフトウェアアプリケーション１００内で分析される（分光光度計を伴わないカメラから取得される）コーティングの写真から導出され得る。他の実施形態では、標的コーティングテクスチャ変数は、カメラ対応分光光度計から直接受信され得る。種々の実施形態では、上で説明されるように、カメラ対応分光光度計１１０から受信される実際の標的コーティングテクスチャ変数は、カメラ対応分光光度計のブランドおよびタイプに依存し得る。例えば、カメラ対応分光光度計から受信される実際の標的コーティングテクスチャ変数は、専用操作および出力を備え得、それによって、変数の数および各変数によって表される測定されるテクスチャ属性は、特定のカメラ対応分光光度計の生産業者以外の人に不確かである。それにもかかわらず、任意の所与のブランドのカメラ対応分光光度計１１０から取得されるデータは、分析されるコーティングテクスチャのための独特のテクスチャシグネチャを提供するであろう。
【００３０】
図１は、ソフトウェアアプリケーション１００が、データ入力モジュール１２０を介してカメラ対応分光光度計１１０と通信することをさらに示す。この通信を遂行するために、データ入力モジュール１２０は、ソフトウェアアプリケーション１００がコーティングテクスチャ計算ソフトウェアアプリケーション１００に入力を受信すること、および／または、それから出力を送信することを可能にする１つ以上のアプリケーションプログラムインターフェース（「ＡＰＩ」）（図示せず）と通信し得る（または別様にそれを実装する）ことを認識されたい。データ入力モジュール１２０と分光光度計１１０と（任意の介在するＡＰＩと）の間のこの通信は、任意の物理的または無線接続手段および対応する通信インターフェース層を介して遂行されることができる。いずれの場合も、カメラ対応分光光度計１１０は、ソフトウェアアプリケーション１００に標的コーティングに対する標的コーティングテクスチャ変数の組を提供する。
【００３１】
代替実装では、データ入力モジュール１２０は、コーティングの画像を直接受信し得る。例えば、その上にソフトウェアアプリケーション１００がインストールされる１つ以上のコンピューティングデバイス１６０は、１つ以上のカメラ（図示せず）へのリンクをさらに備え得、コンピューティングデバイス１６０が写真を受信することを可能にし得る。少なくとも一実装では、ソフトウェアアプリケーション１００は、少なくとも３倍光学ズームを用いて写真を撮影するように構成されるカメラと通信することを認識されたい。
【００３２】
画像データが受信されるが、しかしながら、データ入力モジュール１２０は、コーティングの画像を分析し、所望のテクスチャ変数を計算するように構成されることができる。例えば、データ入力モジュール１２０は、計算が色情報を除去することによって簡略化され得るので、コーティングサンプルから取得される白黒画像を利用し、標的コーティングに対するテクスチャ変数の組を計算し得る。言い換えると、少なくとも一実装では、データ入力モジュール１２０は、最初に、計算前に受信された画像ファイルから色を取り除くように構成され得る。対照的に、追加のテクスチャ情報が、色画像でなければ白黒画像ではアクセス可能ではないであろう色画像において利用可能であり得るので、色画像が、標的コーティングに対するテクスチャ変数の組を計算するために使用されることができる。
【００３３】
図１は、データ入力モジュール１２０が、コーティング色変数を色合わせモジュール１７０に提供し得ることをさらに示す。「コーティング色変数」（または「コーティング変数」）は、分光光度計から受信され、従来の方法を使用して処理されることができる。本明細書で理解されるように、「コーティング色変数」／「コーティング変数」は、（典型的には）硬化したコーティングの測定可能な属性を指し、その属性は、少なくとも一実装では、分光光度計または他の類似するデータ収集デバイスから未加工データとして取得される。コーティング色変数を使用して、色合わせモジュール１７０は、標的コーティングの色に最も密接に合致する１つ以上の色に対してコーティング情報データベース１４０を検索することができる。少なくとも一実装では、コーティング情報データベース１４０内に記憶される色の各々は、特定のコーティングに、およびコーティングテクスチャ変数に関連付けられることができる。例えば、色合わせモジュール１７０は、標的コーティングが、コーティング情報データベース１４０内に記憶される特定の色のグループと類似する深緑色を備えていることを決定し得る。
【００３４】
１つ以上の提案された合致する色が識別されると、色合わせモジュール１７０は、テクスチャ計算モジュール１３０に、提案された合致相手の１つ以上のインジケータ（図示せず）を提供することができる。インジケータは、コーティング情報データベース内の提案された合致相手へのポインタ、各提案された合致についての情報を備えているデータ構造へのポインタ、またはテクスチャ計算モジュール１３０に提案された合致相手に対する必要なコーティング情報へのアクセスを提供する任意の他のデータ通信へのポインタを備えていることができる。
【００３５】
図１に示されるように、テクスチャ計算モジュール１３０は、次いで、コーティング情報データベース１４０内から、１つ以上の提案されたコーティング合致相手の各々に関連付けられるコーティングテクスチャ変数にアクセスすることができる。提案されたコーティング合致相手に関連付けられるコーティングテクスチャ変数および標的コーティングに関連付けられるコーティングテクスチャ変数を使用して、テクスチャ計算モジュール１３０は、標的コーティングと提案されたコーティング合致相手の各々との間の相関を計算することができる。計算された相関に基づいて、テクスチャ計算モジュール１３０は、提案されたコーティング合致相手と標的コーティングとの間のテクスチャにおける相対的差異を示す、提案されたコーティング合致相手に対する相対的テクスチャ特性の組を計算することができる。相対的テクスチャ特性の各々は、標的コーティングの全ての角度にわたる評価を備えていることができる。
【００３６】
一実装では、相対的テクスチャ特性は、異なる基準コーティング間の人が提供した相対的視覚的印象に基づくことができる。例えば、相対的視覚的印象は、複数の異なる基準コーティングに関する相対的粗度、相対的スパークル強度、および／または、相対的スパークル密度に関連する人が生成した値を備えていることができる。一実装では、相対的印象は、互いにいくつかの異なるコーティングサンプルを視認した多様な個人の大規模なグループから収集されることができる。そのような場合、データは、サンプルの種々のテクスチャ特性に関する個人による印象を反映し得る。
【００３７】
例えば、少なくとも一実装では、個人が、数値スケールで、比較的大きい全体的テクスチャ、または比較的小さい全体的テクスチャを有するものとしてそれぞれのサンプルを評価するように促されることができる。同様に、個人が、粗度、スパークル強度、および／またはスパークル密度に関して、相対的スケール上でそれぞれのサンプルを評価することができる。相対的印象は、次いで、それぞれのサンプルの各々に関連付けられるコーティングテクスチャ変数に統計的にマッピングされることができる。故に、統計的相関が、分光光度計から受信されるコーティングテクスチャ変数の各々と、種々のテクスチャ特性の人の知覚との間で生成されることができる。
【００３８】
テクスチャ計算モジュール１３０は、テクスチャ変数の統計的相関を利用し、提案されたコーティング合致相手の各々に関して、標的コーティング（図示せず）の相対的テクスチャ特性の組を識別することができる。例えば、テクスチャ計算モジュール１３０は、提案された合致させられるコーティングの相対的粗度値、相対的スパークル密度値、および／または相対的スパークル強度値を計算することができる。加えて、テクスチャ計算モジュール１３０は、テクスチャ変数から決定された相対的テクスチャ特性の組に基づいて、提案された合致させられるコーティングに対する全体的相対的テクスチャ特性値を計算することができる。例えば、全体的相対的テクスチャ特性値は、人の知覚との相関から直接導出されることができるか、または、全体的相対的テクスチャ特性値は、他の相対的テクスチャデータの平均から計算されることができる。
【００３９】
分光光度計１１０（または他の適切なカメラデバイス）を介した特定の標的コーティングからのデータの受信時、ディスプレイモジュール１５０は、１つ以上のグラフィックスのための表示命令をコンピューティングデバイス１６０上のディスプレイユニットに送信することができる。グラフィックスは、順に、相対的テクスチャ特性を、グラフィカルユーザインターフェースを通してユーザに表示し、それによって、ユーザは、標的コーティング（図示せず）と提案されたコーティング合致相手の各々（図示せず）との間のテクスチャ特性における差異を容易に識別することができる。表示される特性は、複数の形態をとり得ることを認識されたい。一実施形態では、表示される相対的テクスチャ特性は、合致させられるコーティングに対する単一の全体的テクスチャ値、相対的粗度値、相対的スパークル密度値、および／または相対的スパークル強度値を備え得る。したがって、本発明の種々の実装は、エンドユーザに表示されるテクスチャ情報を有意に簡略化および標準化することができる。
【００４０】
１つ以上のコーティング間の人の知覚差異の単純な指示を提供することは、特に、情報をディスプレイを通してエンドユーザに中継するとき、コーティング合わせの技術分野に有意な改良を提供することができる。特に、コーティングのテクスチャ属性を区別するための一貫した標準的基準を提供することは、技術におけるかなりの欠点に対処する。したがって、テクスチャ差異の人の知覚を利用することに対して統計的に標準化されたアプローチを利用することは、コーティングテクスチャを合致させるための革新的方法を提供することができる。例えば、相対的テクスチャ値は、全ての利用可能なコーティング組成物に関して提供されることができ、それによって、相対的テクスチャ値を生成するために、特定の潜在的合致コーティングを識別することは、必要ではない。代わりに、標準化されたテクスチャ値が、１つ以上のコーティング製造業者の全コーティングライブラリを含む、色およびテクスチャ空間に基づいて計算されることができる。標的コーティングを合致させることにおいて使用されるこれらの値の結果は、次いで、図６−８に関してより完全に説明されるように、ユーザに表示されることができる。
【００４１】
図２Ａは、人の知覚テクスチャ差異を収集および利用することから導出されるチャート２３０の例を描写する。特に、図２Ａは、第１の例示的コーティング２００、第２の例示的コーティング２１０、および人の視点テクスチャ比較チャート２３０を描写する。第１の例示的コーティング２００および第２の例示的コーティング２１０は、図２Ａでは画像形態において描写されるが、ユーザに提示されるとき、第１の例示的コーティング２００および第２の例示的コーティング２１０は、実際の塗装され硬化させられたパネルであり得る。したがって、ユーザは、最終コーティング色およびテクスチャの真の正確な表現を提供される。
【００４２】
人の視点テクスチャ比較チャート２３０は、第１の例示的コーティング２００と第２の例示的コーティング３１０との間の視覚的外観における差異を対象とする。例えば、人の視点テクスチャ比較チャート２３０は、人ユーザが、第１の例示的コーティング２００が第２の例示的コーティング２１０を上回る全体的な知覚されるテクスチャを備えていることを知覚するか、または下回るそれを知覚するかを示すことを要求する。図２Ａの人の視点テクスチャ比較チャート２３０によって示されるように、人ユーザは、種々の異なるテクスチャ特性に関して２つの例示的コーティング２００、２１０を評価するように求められ得る。各評価は、評価選択肢２６０（ａ−ｅ）の事前定義されたスケールを使用して提供され得る。
【００４３】
異なる人種、性別、および他の人口統計差異を伴う多数のユーザが、同一の２つの例示的コーティング２００、２１０を比較し、ユーザ自身のそれぞれの知覚されたテクスチャ差異を提供するように求められることができる。種々のユーザの合計の結果として生じる知覚は、次いで、それぞれ要約され、それによって、各要求されたテクスチャ質問に対して典型的な、または最も可能性の高い、予測される人の知覚テクスチャ比較が、計算される。
【００４４】
図２Ａに描写される例では、ユーザは、第１の例示的コーティング２００が、第２の例示的コーティング２１０を「わずかに下回る」全体的な知覚されるテクスチャを備えていると決定した。加えて、図２Ａは、ユーザが、第１の例示的コーティング２００が、第２の例示的コーティング２１０と「比較的に等しい」知覚される粗度を備えていると決定したことを示す。さらに、図２Ａは、ユーザが、第１の例示的コーティング２００が、第２の例示的コーティング２１０を「ずっと下回る」スパークル強度を備えていると決定したことを示す。なおさらに、図２Ａは、ユーザが、第１の例示的コーティング２００が、第２の例示的コーティング２１０を「わずかに下回る」スパークル密度を備えていると決定したことを示す。
【００４５】
図２Ｂは、図２Ａに描写されるものと類似する人の視点テクスチャ比較チャート２３０を描写する。しかしながら、図２Ｂでは、チャートは、ユーザが第１の例示的コーティング２００を第３の例示的コーティング２２０と比較することを示す。図２Ｂの人の視点テクスチャ比較チャート２４０によって示されるように、第３の例示的コーティング２２０は、第１の例示的コーティング２００または第２の例示的コーティング２１０のいずれとも異なるテクスチャ特性プロファイルを備えている。
【００４６】
図２Ｃは、なお別の人の視点テクスチャ比較チャート２３０を描写する。この特定の描写では、ユーザが、第３の例示的コーティング２２０を第２の例示的コーティング２１０と比較している。故に、図２Ａ−２Ｃは、種々の異なる例示的コーティング間の人の知覚比較から導出され得るいくつかの異なる結果を図示し、ある範囲の異なるテクスチャ特性にわたって例示的コーティング間の人の視点比較を提供する。図２Ａ−２Ｃの人の視点テクスチャ比較チャート２３０に提供される人の視点比較は、相対的数値に変換されることができる。結果として生じる値は、次いで、コーティング情報データベース１４０内に記憶されることができる。
【００４７】
例えば、図３は、各それぞれの例示的コーティング２００、２１０、２２０の指示３００、３１０、３２０を伴う数直線３３０を描写する。特に、図３は、「Ｘ」指示３００が第１の例示的コーティング２００を表す一方、正方形インジケータ３１０が第２の例示的コーティング２１０を表し、円形インジケータ３２０が第３の例示的コーティング２２０を表すことを示す。図示される数直線３３０は、それらの全体的な知覚されるテクスチャに対して、例示的コーティング２００、２１０、２２０の互いに対する相対的関係を表し得る。数直線３３０は、単に、例示的であり、明確化および例のために提供されることを理解されたい。実践では、異なるコーティングの種々のテクスチャ特性間の関係は、都合よく描写および説明することがはるかに困難であるはるかにより複雑な多変数関係を備え得る。故に、数直線３３０は、本発明の実装における種々の革新的かつ新規の特徴を確立するために、簡略化された例として提供される。
【００４８】
図２Ａ−２Ｃの人の視点テクスチャ比較チャート２３０、２４０、２５０は、５つの異なる相対的指示２６０（ａ−ｅ）を備えている。相対的値が、２つのそれぞれの例示的コーティング間の各比較のための各インジケータに割り当てられることができ、例示的コーティングのうちの１つは、他の例示的コーティングが比較されるべき「標的」と見なされる。例えば、「標的をずっと下回る」インジケータ２６０ａは、−２の相対的値を割り当てられ得、「標的をわずかに下回る」インジケータ２６０ｂは、−１の相対的値を割り当てられ得、「標的に比較的に等しい」インジケータ２６０ｃは、０の相対的値を割り当てられ得、「標的をわずかに上回る」インジケータ２６０ｄは、＋１の相対的値を割り当てられ得、「標的をずっと上回る」インジケータ２６０ｅは、＋２の相対的値を割り当てられ得る。−２、−１、０、＋１、＋２の上で提供される整数は、例および明確化のために提供されることを理解されたい。種々の実装は、人の知覚を定量化するために、非整数および非数値スキームを含む異なるスキームを利用することができる。
【００４９】
「全体的な知覚されるテクスチャ」に関する図２Ａの人の視点テクスチャ比較に再び目を向けると、ユーザは、第１の例示的コーティング２００が、第２の例示的コーティング２１０を「わずかに下回る」全体的な知覚されるテクスチャを備えていると示した。したがって、−１の数値が、第２の例示的コーティング２１０に関して第１の例示的コーティング２００に割り当てられることができる。
【００５０】
「全体的な知覚されるテクスチャ」に関する図２Ｂでは、ユーザは、第１の例示的コーティング２００が、第３の例示的コーティング２２０を「ずっと上回る」全体的な知覚されるテクスチャを備えていると示した。したがって、＋２の数値が、第３の例示的コーティング２２０に関して第１の例示的コーティング２００に割り当てられることができる。
【００５１】
「全体的な知覚されるテクスチャ」に関する図２Ｃでは、ユーザは、第３の例示的コーティング２２０が、第２の例示的コーティング２１０を「ずっと下回る」全体的な知覚されるテクスチャを備えていると示した。したがって、−２の数値が、第２の例示的コーティング２１０に関して第３の例示的コーティング２２０に割り当てられることができる。
【００５２】
上の人の視点テクスチャ比較データの分析は、第３の例示的コーティング２２０が、第１の例示的コーティング２００および第２の例示的コーティング２１０の両方を「ずっと下回る」全体的な知覚されるテクスチャを備えていることを示す。この結論は、第１の例示的コーティング２００が第３の例示的コーティング２２０を「ずっと上回る」知覚されるテクスチャを備えていることを示す図２Ｂの人の視点テクスチャ比較データが、第３の例示的コーティング２２０が第１の例示的コーティング２００を「ずっと下回る」知覚されるテクスチャを備えていることと等化であるという前提に基づいて到達されることができる。人の視点テクスチャ比較データのさらなる類似する分析は、第２の例示的コーティング２１０が、第１の例示的コーティング２００をわずかに上回る全体的な知覚されるテクスチャを備え、かつ、第３の例示的コーティング２２０をずっと上回る全体的な知覚されるテクスチャを備えていることを明らかにしている。
【００５３】
これらの関係は、第１の例示的コーティング２００に関する「Ｘ」インジケータ３００を、数直線３３０上の「０」に配置することによって描写されることができる。この例では、第１の例示的コーティング２００は、中央の人の視点テクスチャ比較データ点（この場合、第１の例示的コーティング２００）の周囲の数値関係を正規化する形態として、「０」に配置される。上記のデータは、第２の例示的コーティング２１０が、第１の例示的コーティング２００よりもテクスチャにおいて＋１高いことを示した。この関係は、第２の例示的コーティング２１０に関する正方形インジケータ２１０を、数直線３３０上の「＋１」上に配置することによって表されることができる。
【００５４】
数直線３００上の第３の例示的コーティング２２０の配置は、２つの異なる人の視点テクスチャ比較データ点を考慮することを含み得る。例えば、人の視点テクスチャ比較データは、第３の例示的コーティング２２０が、第２の例示的コーティング２１０を「ずっと下回る」全体的な知覚されるテクスチャを備えていることを示す。加えて、人の視点テクスチャ比較データは、第１の例示的コーティング２００が、第３の例示的コーティング２２０を「ずっと上回る」全体的な知覚されるテクスチャを備えていることを示す。言い換えると、ある数値を関係に割り当てることは、第３の例示的コーティング２２０が、第１の例示的コーティング２００および第２の例示的コーティング２１０の両方に関して−２の数値を割り当てられることを要求するであろう。
【００５５】
第１の例示的コーティング２００および第２の例示的コーティング２１０は、互いに異なる全体的な知覚されるテクスチャを有するので、少なくとも一実装では、第３の例示的コーティング２２０に割り当てられる−２の数値は、最小差として取り扱われることができる。したがって、第３の例示的コーティング２２０は、それが少なくとも第１の例示的コーティング２００および第２の例示的コーティング２１０の両方よりも−２低い数値であるように数直線３３０上に配置されることができる。この関係は、第３の例示的コーティング２２０のための円形インジケータ３２０を「−２」に配置する一方、第１の例示的コーティング２００のための「Ｘ」インジケータ３００を数直線３３０上の「０」に配置し、第２の例示的コーティング２１０のための正方形インジケータ２１０を数直線３３０上の「＋１」上に配置することによって、図３に描写される。
【００５６】
図３の数直線３３０は、第１の例示的コーティング２００、第２の例示的コーティング２１０、および第３の例示的コーティング２２０からのデータに限定されるが、少なくとも一実装では、数直線３３０は、企業の全コーティングポートフォリオからの情報、または多数のランダムコーティングからの情報を備え得ることを認識されたい。多数のコーティングを考慮する数直線３３０を生成することは、それによって任意のコーティング（元々数直線上で考慮されているかどうかを問わず）が評価され得る標準的基準をもたらし得る。より一般的に言えば、多数の異なるコーティングおよびそれらの関連付けられるテクスチャを比較することは、それによってテクスチャが普遍的に比較されることができる標準的比較メトリックをもたらすことができる。普遍的標準は、ユーザが、単一のコーティングをコーティングテクスチャ計算ソフトウェアアプリケーション１００に入力し、コーティングのテクスチャが多数の無作為に入力されたコーティングテクスチャに関して比較する方法の指示を受信することを可能にし得る。故に、少なくとも一実装では、コーティングテクスチャ計算ソフトウェアアプリケーション１００は、ユーザが特定の比較コーティングを入力することを要求することなく、特定のコーティングのテクスチャに関する標準化されたインジケータを提供することができる。
【００５７】
図４は、カメラ対応分光光度計１１０から受信された例示的データを備えているコーティング分析出力データ表４００を描写する。図４は、第１の例示的コーティング２００、第２の例示的コーティング２１０、および第３の例示的コーティング２２０に対する４つの例示的標的コーティングテクスチャ変数（λ、δ、σ、およびθ）をそれぞれ描写する。ここで使用されるように、標的コーティングテクスチャ変数λ、δ、σ、およびθは、単に、例示的である。種々の異なるカメラ対応分光光度計が、独特の専用出力データを提供し得る。同様に、コーティングテクスチャ計算ソフトウェアアプリケーション１００が画像（すなわち、写真）自体を処理する実装では、それも、出力変数の独特のデータセットを提供し得る。故に、変数λ、δ、σ、およびθに関してここで提供される例は、単に、明確化および議論のためであり、本発明を任意の特定の方法、システム、または装置に限定するように読み取られるべきではない。
【００５８】
コーティング分析出力データ表４００および人の視点テクスチャ比較チャート２３０は、パターン合わせアルゴリズム、機械学習技法を用いて統計的に分析されるか、または、そうでなければ、データ表４００内の種々の変数と、人の視点テクスチャ比較によって取得される相対的テクスチャ特性との間の相関およびパターンを識別するために分析されることができる。例えば、λとδとの間の差異とコーティングの全体的な知覚されるテクスチャとの間に逆の関係が存在することが、識別され得る。例えば、第３の例示的コーティング２２０に関して、λは、１１４であり、δは、２１であり、それは、９３の差異をもたらす。対照的に、第１の例示的コーティング２１０および第２の例示的コーティング２００に関するλとδとの間の差異は、それぞれ、３６および７である。したがって、最小量の全体的な知覚されるテクスチャを伴う第３の例示的コーティング２２０は、λとδとの間に最大差を備えている一方、最大量の全体的な知覚されるテクスチャを伴う第２の例示的コーティングは、λとδとの間に最小差を備えている。
【００５９】
少なくとも一実装では、相関および／または関係が、コーティング分析出力データ表４００と多種多様な異なるランダムコーティングとの間に識別されることができる。加えて、識別された相関および／または関係は、識別された相関および／または関係を説明する公式を導出するために使用されることができる。したがって、コーティングテクスチャ計算ソフトウェアアプリケーション１００は、新しい独特のコーティングを処理し、種々の人の視点テクスチャ特性を補間することができる。
【００６０】
例えば、図５は、それらのそれぞれの全体的な知覚されるテクスチャとともに、第１、第２、および第３の例示的コーティングに関するλとδとの間の差異のグラフ５００を描写する。特に、グラフ５００は、Ｙ軸上に全体的な知覚されるテクスチャ５２０を描写し、Ｘ軸上にλとδとの間の差異５１０を描写する。加えて、従来の曲線フィッティングアルゴリズムまたは他の複合的統計分析を使用して、それぞれのデータ点３１０、３００、３２０の各々の間に線５３０を描く方程式が、展開されることができる。
【００６１】
少なくとも一実装では、方程式は、次いで、それぞれの標的コーティングから受信されたλおよびδ変数に基づいて、他のコーティングのための全体的な相対的な知覚されるテクスチャを補間するために使用されることができる。図５の方程式は、線形であり、λとδとの間の差異にのみ依存するものとして描写されるが、少なくとも一実装では、受信される出力変数と特定の知覚されるテクスチャ特性との間の関係は、はるかに複雑であり得る。したがって、図５に描写されるグラフ５００および関係は、例および明確化のためにのみ提供される。故に、図５に提示されるものと類似する方程式が、コーティングの種々の相対的テクスチャ特性を数値的に計算するために使用されることができる。
【００６２】
結果として生じる識別された相関および／または関係は、コーティング特性に基づいてコーティングを容易かつ迅速に評価および／または合致させることにおいてユーザを補助するための色およびスパークル合致評価と併せて、本発明による方法およびシステムにおいて使用されることができる。例えば、図６は、図１のディスプレイモジュール１５０によって生成され得る例示的コーティング情報ユーザインターフェース６００（本明細書では「グラフィカルユーザインターフェース」とも称される）を描写する。描写される実装では、コーティングテクスチャ情報ユーザインターフェース６００は、ウェブブラウザ内のウェブページとして描写されるが、しかしながら、代替実装では、ユーザインターフェース６００は、特定用途テクスチャ識別デバイスと関連するスタンドアロンアプリケーション内に、またはディスプレイデバイスを提供する任意の他のシステム内に描写され得る。
【００６３】
上で開示されるように、ユーザインターフェース６００を生成する少なくとも一実装は、コーティング測定器具から、コーティングテクスチャ変数を含む１つ以上のコーティング変数を最初に受信することを含み、コーティング変数は、特定のコーティング測定デバイスから受信される、コーティングテクスチャ、コーティング色、コーティング色トラベル、コーティング層、および／またはコーティングから収集され得る任意の他のデータを説明するデータ変数を備えている。コーティング測定器具は、色データを検出するための分光光度計、色およびテクスチャデータを検出するためのカメラ対応分光光度計、色およびテクスチャデータを収集するためのカメラ、または色特性を測定し、テクスチャ変数を提供することが可能な任意の他のデバイスを備えていることができる。
【００６４】
コーティング変数は、標的コーティングに関連付けられる種々のコーティング特性を説明し得る。例えば、コーティング変数は、１つ以上のコーティングスパークル色特性、コーティングテクスチャ特性、コーティング色特性、コーティング色トラベル特性、もしくは従来のコーティング測定器具によって提供される任意の他の利用可能なコーティング特性に関連付けられる１つ以上のコーティングテクスチャ変数を備え得る。受信されるコーティングテクスチャ変数は、所望のコーティングスパークル色特性、コーティングテクスチャ特性、コーティング色特性、および／またはコーティング色トラベル特性に相関される必要がある種々の変数の形態にあり得る。受信されるコーティングテクスチャ変数は、特定の測定デバイスに特定の専用情報を備え得る。専用情報は、上でリストアップされる相対的テクスチャ特性等の所望のテクスチャ属性にマッピングされることができる。したがって、受信されるコーティングテクスチャ変数の組の全体は、コーティングスパークル色特性、コーティングテクスチャ特性、コーティング色特性、コーティング色トラベル特性、または従来のコーティング測定器具によって提供される任意の他の利用可能なコーティング特性としてグループ化されることができる変数の一部を備え得る。
【００６５】
上で説明されるシステムおよび方法を使用して、種々の実装では、受信されるコーティング変数は、スパークル色評価６５０を計算するために使用されることができる。本明細書で使用されるように、「評価」は、特定のコーティングについてのコーティング情報を表示するために使用される種々の視覚的描写、数値、およびグラフィックを備え、コーティング情報は、相対的テクスチャ特性、色測定値、コーティング特性の絶対測定値、および他の類似するコーティング情報を含む。しかしながら、少なくともいくつかの実施形態では、「評価」も、「特性」と同等であり得ることを理解されたい。例えば、ユーザインターフェース６００においてある特性を直接表示することが、望ましくあり得、その場合、表示される特性は、評価も備えているであろう。
【００６６】
少なくとも一実施形態では、第ＰＣＴ／ＵＳ２０１５／０５７７８２号（参照することによってその全体として本明細書に組み込まれる）に開示されるものと類似する技法が、スパークル色評価を計算するために使用されることができる。要するに、コーティングの画像が、カメラ、カメラ対応分光光度計、または任意の他のソースから取得されることができる。着色スパークルの分布が、次いで、多数の角度においてコーティング内に決定され得る。雲母およびシラリックは、種々の視認角度および条件に対して独特に色を変化させるので、適切な真珠が、検索または調合アルゴリズムのために選択され得、標的コーティングに合致するために要求される各々の量に関する相対比が、推定され得る。スパークル色も、例えば、そのような材料の色が種々の角度にわたってシフトしないので、適切なアルミニウムおよびガラスフレーク等の特殊効果顔料の選択を補助するために使用され得る。したがって、種々の比率、例えば、効果コーティングにおけるアルミニウムと真珠との比率または緑色アルミニウムフレークと黄色アルミニウムフレークとの比率が、決定されることができる。
【００６７】
種々の追加または代替の実施形態では、ハイパスフィルタが、標的画像に適用され、画像内の種々の画素間で最も明るいスポットを決定し得る。結果として生じるデータ／画像は、明るい場所のみに関する情報を含み得る。ハイパスフィルタは、高値中心点および低値エッジ点を伴う値のマトリクスを画像の強度情報のマトリクスと畳み込み得る。これは、高強度画素を分離し得る。スパークル点をさらに精緻化するために、フィルタ処理のエッジ検出方法が、強度フィルタ処理と併せて適用され得る。
【００６８】
種々の追加または代替の実施形態では、個々のスパークル点は、標識化され、カウントされ、それによって、色相範囲に基づいてそれらを分離／標識化し得る。したがって、説明される方法は、標識化されたスパークル点のカウントをもたらし、各々は、個々の色相基準に基づく基準を満たし得、それは、次いで、所望に応じてフォーマットおよび出力されることができる。
【００６９】
追加または代替の実施形態は、明度および／または輝度から独立して個々の色相領域を識別する一連の色相ベースのバンドパスフィルタの使用を含み得る。領域的標識化と領域の彩度および明度（および／または輝度）の分析とが、各色相バンド内の個々のスパークル点を分離するために使用され得る。そのような技法は、各色相内に該当する画像のパーセンテージを推定しながらスパークル点を決定し、複数の画像にわたるスパークル色における色変化の比較的に迅速な分析が、任意のさらなる識別を補完することを可能にし得る。種々の実施形態では、バンドストップフィルタが、バンドパスフィルタの代わりに、またはそれとの組み合わせにおいて使用され得る。
【００７０】
本明細書で使用されるように、スパークル色評価は、標的コーティングの１つ以上のコーティングスパークル色特性とそれぞれの提案されたコーティング合致相手の各々のそれぞれのコーティングスパークル色特性との間の類似性を示すことができる。例えば、標的コーティングは、黄色−緑色アルミニウムフレーク色を備え得る一方、提案されたコーティング合致相手のうちの少なくとも１つは、黄色−青色アルミニウムフレーク色を備え得る。
【００７１】
少なくとも１つの追加または代替の実装では、スパークル色特性は、標的コーティングからのスパークル色および比率情報と１つ以上の提案された合致コーティングからのスパークル色および比率情報とのパーセンテージ合致を計算することによって計算されることができる。例えば、標的コーティングは、２つの青色フレーク毎に１つの黄色フレークの黄色対青色フレークの比率を備え得る。対照的に、提案された合致させられるコーティングは、４つの青色フレーク毎に１つの黄色フレークの比率を備え得る。提案された合致相手は、標的コーティングスパークル色比の５０％のみを備えているので、結果として生じるスパークル色評価は、５０％であり得る。
【００７２】
加えて、追加または代替の実施形態では、人の知覚が、相対的スパークル色特性を計算するために使用されることができる。例えば、上で説明される技法を使用して、個人の大規模なグループが、いくつかの異なるコーティングの比較スパークル色に関連するそれら知覚を提供することができる。相関関数が、次いで、上での計算されるスパークル色比と人の知覚データとの間の統計的関係に基づいて計算されることができる。相関関数は、次いで、図６に描写されるように、（スパークル色評価列６５０に示される）スパークル色評価として表示され得る相対的スパークル色評価を生成することができる。
【００７３】
加えて、受信されるコーティングテクスチャ変数は、人の知覚相対的効果テクスチャ特性を計算するために使用されることができる。例えば、コーティングテクスチャ変数は、複数のそれぞれの提案されたコーティング合致相手に対する人の知覚相対的効果テクスチャ特性を計算するために使用されることができる。本明細書で使用されるように、効果テクスチャ特性は、本明細書では（図２Ａ−２Ｃに関して示され、説明されるような）全体的な知覚されるテクスチャ特性とも称される。効果テクスチャ評価は、標的コーティングの１つ以上のコーティング特性とそれぞれの提案されたコーティング合致相手の各々のそれぞれのコーティングテクスチャ特性との間の類似性を示すことができる。例えば、標的コーティングは、比較粗いアルミニウムフレーク効果を備え得る一方、提案されたコーティング合致相手のうちの少なくとも１つは、比較微細なアルミニウムフレーク効果を備え得る。標的コーティングおよび／または提案されたコーティング合致相手は、同様に、または代替として、粗いアルミニウムフレーク効果または他のｇｏｉｎｏ−見掛け効果顔料／粒子を含み得ることを認識されたい。
【００７４】
いずれの場合も、効果テクスチャ特性は、各それぞれの提案されたコーティング合致相手に関連付けられる１つ以上のコーティング特性が、標的コーティングよりも「より粗い」か、または「より微細である」かを示すことができる。加えて、少なくとも一実装では、効果テクスチャ特性は、各それぞれの提案されたコーティング合致相手に関連付けられる１つ以上のコーティング特性が、標的コーティングを上回るテクスチャを備えているか、または下回るテクスチャを備えているかを示すことができる。少なくとも一実装では、示される類似性は、上で開示されるように、人の知覚テクスチャ差異に基づく相関を使用して決定される。効果テクスチャ特性は、（効果テクスチャ評価列６６０に示される）効果テクスチャ評価として種々の異なる有用な形態において表示されることができる。
【００７５】
受信されるコーティング変数は、従来の色コーティング特性および／または人の知覚相対的コーティング色特性を計算するために使用されることもできる。例えば、コーティング色特性は、公知の色合わせ技法を使用して計算されることができ、それは、次いで、表示のために所望のスケールに正規化される。加えて、または代替として、コーティング変数は、図２Ａ−２Ｃに関して上で説明されるものと類似する方法を使用して、複数のそれぞれの提案されたコーティング合致相手に対する人の知覚相対的コーティング色特性を計算するために使用されることができる。例えば、相関が、色類似性に関する複数のユーザの視覚的知覚とコーティング変数との間で識別されることができる。本明細書で使用されるように、コーティング色特性は、標的コーティングの１つ以上のコーティング色特性とそれぞれの提案されたコーティング合致相手の各々のそれぞれのコーティング色特性との間の類似性を示すことができる。例えば、標的コーティングは、藍色を備え得る一方、提案されたコーティング合致相手のうちの少なくとも１つは、濃紺色を備え得る。少なくとも一実装では、示される類似性は、上で開示されるように、人の知覚テクスチャ差異に基づく相関を使用して決定される。決定された色コーティング特性は、次いで、（色コーティング評価列６４０に示される）色コーティング評価として種々の異なる有用な形態においてユーザに表示されることができる。
【００７６】
さらに、受信されるコーティングテクスチャ変数はまた、人の知覚相対的色トラベル評価を計算するために使用されることができる。例えば、コーティング変数は、従来の方法を使用して、色トラベル特性を計算するか、または上で説明されるものと類似する方法を使用して、複数のそれぞれの提案されたコーティング合致相手に対する人の知覚相対的色トラベル特性を計算するために使用されることができる。本明細書で使用されるように、コーティング色トラベル特性は、標的コーティングの１つ以上のコーティング色トラベル変数とそれぞれの提案されたコーティング合致相手の各々のそれぞれのコーティング色トラベル変数との間の類似性を示すことができる。例えば、標的コーティングは、特定の角度遷移に対して青色から緑色に進行する色を備え得る一方、提案されたコーティング合致相手のうちの少なくとも１つは、同じ角度遷移に対して青色から金色に進行する色を備え得る。少なくとも一実装では、示される類似性は、上で開示されるように、人の知覚テクスチャ差異に基づく相関を使用して決定される。色トラベル特性は、次いで、（色トラベル評価列６７０に示される）色トラベル評価として種々の異なる有用な形態においてユーザに表示されることができる。
【００７７】
所望の評価または評価の組み合わせが決定されると、ディスプレイデバイスと通信するコンピュータプロセッサが、命令を送信し、提案されたコーティング合致相手の少なくとも一部の視覚的順序付けを描写するコーティング関連情報のグラフィカル表現をユーザインターフェース上に生成することができる。全体的ランキングは、種々の評価のうちの１つ以上のものに関して、標的コーティングと提案された合致相手の各々との間の類似性を示し得る。
【００７８】
種々の実装では、全体的ランキングは、各提案された合致相手のための単一の評価を備え得、単一の評価は、各それぞれの提案されたコーティング合致相手と標的コーティングとの間の全体的テクスチャ類似性を示す。対照的に、少なくとも一実装では、全体的ランキングは、各それぞれの提案された合致コーティングのために、スパークル色評価、効果テクスチャ評価、コーティング色評価、および／または、色トラベル評価のうちの１つ以上のものを備えている。さらに、少なくとも一実装では、評価は、色空間全体に関し得、それによって、標的コーティングは、特定の提案された合致コーティングに対してではなく、１つ以上の評価に関連付けられる。
【００７９】
ここで図６のユーザインターフェース６００に再び目を向けると、ユーザインターフェース６００は、評価および他の情報の種々の実装を描写する。しかしながら、描写されるユーザインターフェースは、明確化のために提供され、ユーザインターフェース６００の実装を特定の視覚的要素、レイアウト、または他の類似する描写される特徴に限定することを意味しないことを理解されたい。
【００８０】
ユーザインターフェース６００は、提案された合致要素６１０、標的コーティングの画像６１５、および合致情報区域６２０を含む種々の要素を備えている。提案された合致要素６１０は、これが標的コーティング６１５に対して最も近い全体的合致を備えていることに基づいて選択された特定のコーティングについての情報を備え得る。例えば、提案された合致要素６１０は、提案された合致コーティングのテクスチャおよび色特性と標的コーティングから収集されたテクスチャおよび色特性との間の最小平均差を備えている提案された合致コーティングについての情報を備え得る。追加の提案された合致コーティングが、類似する計算を使用することに基づいて順序付けられ得、それらは、最小平均差から最大平均差による順序である。
【００８１】
合致情報区域６２０は、各それぞれの提案された合致相手についての情報を提供するための種々のデータ列６３０、６４０、６５０、６６０、６７０、６８０、６９０、６９５を備えている。例えば、描写される例示的合致情報区域６２０は、提案された合致コーティング画像列６３０と、合致評価列６４０（色合致を示す）と、スパークル色評価列６５０と、効果テクスチャ評価列６６０と、色トラベル評価列６７０と、コーティング製造業者列６８０と、コーティング説明列６９０と、塗料システム列６９５とを備えている。代替実装では、合致情報区域６２０は、コーティングが標的コーティングを上回る粗さであるか、または下回る粗さであるかを示す効果粗度に関する列を備え得る。
【００８２】
提案された合致コーティング画像列６３０は、各それぞれの提案された合致コーティングの画像を備えていることができる。少なくとも一実装では、画像は、類似する光条件下で撮影された提案された合致コーティングの各々の写真を備え得る。ユーザは、提案された合致コーティング画像列６３０内の画像を標的色の画像６１５と比較し得る。デバイスからの実際の画像は、セグメント化された角度特定の形態または連続的形態においてディスプレイに提示され得ることも認識されたい。デバイスからの実際の画像は、同様に、または代替として、画像が実際の測定された表面の視覚的に知覚された色およびテクスチャを密接に表すように提示されることができる。いずれの場合も、本発明の実装は、標的および提案された合致させられるコーティングが、ソフトウェアにおいて視覚的に区別可能であることを可能にする。これは、順に、ユーザが、提案されたコーティングの画像６３０を標的コーティングの画像６１５と比較することを可能にし、したがって、潜在的合致相手間を視覚的に区別する能力を可能にする。
【００８３】
合致評価列６４０は、色コーティング評価を備えていることができる。色コーティング評価は、標的コーティングのコーティング色と提案されたコーティング合致相手の各々のそれぞれのコーティング色との間の類似性を示し得る。色コーティング評価は、種々の異なる形態において描写され得る。例えば、図６では、色コーティング評価は、数値として描写される（より低い数字が標的コーティングに対してより近い合致である）。
【００８４】
少なくとも一実装では、描写される数字は、上で説明される人の知覚相対的テクスチャ特性を使用して導出され得る。例えば、描写される数値は、図３および５に関して描写および説明されるものと類似する相関を使用して導出され得る。加えて、少なくとも一実装では、人が導出した相関関数からの結果として生じる値は、特定のスケール（例えば、１〜１００）に合うように正規化されることができる。さらに、数字が解釈され得る容易さを増加させるために、少なくとも一実装では、数字は、色分けされることもでき（これは、例えば、エンドユーザによる意思決定の容易さをもたらすことができる）、したがって、より低い数字は、スペクトル上の特定の色（例えば、緑色）である一方、より高い数字は、スペクトル上の異なる色（例えば、黄色または赤色）である。
【００８５】
スパークル色列６５０は、スパークル色評価を備えていることができる。スパークル色評価は、標的コーティングのコーティングスパークル色と提案されたコーティング合致相手の各々のそれぞれのコーティングスパークル色との間の類似性を示し得る。スパークル色評価は、種々の異なる形態において描写され得る。例えば、図６では、色コーティング評価は、数値として描写される。数値およびその説明も、上で説明される人の知覚相対的テクスチャ特性を利用し得る。描写される実装では、より高いスパークル色評価は、より近接する合致を示す。この関連付けは、合致評価列６４０における関連付けと反対であることに留意されたい。少なくとも一実装では、対照的な評価システムを表示することは、ユーザによる不注意な読み誤りを防止することに役立ち得る。
【００８６】
効果テクスチャ列６６０は、効果評価を備えていることができる。効果テクスチャ評価は、標的コーティングのコーティングテクスチャと提案されたコーティング合致相手の各々のそれぞれのコーティングテクスチャとの間の類似性を示し得る。効果テクスチャ評価は、種々の異なる形態において描写され得る。例えば、図６では、色コーティング評価は、グラフィカルスライダとして描写される。
【００８７】
グラフィカルスライダは、標的コーティングの効果テクスチャと種々のそれぞれの提案されたコーティング合致相手の効果テクスチャとの間の類似性（または非類似性）を視覚的に描写する種々の色および／または増分を備え得る。少なくとも一実装では、グラフィカルスライダ値は、上で説明される人の知覚相対的テクスチャ特性を使用して導出され得る。例えば、グラフィカルスライドに関連付けられる相対値は、図３および５に関して描写および説明されるものと類似する相関を使用して導出され得る。加えて、少なくとも一実装では、人が導出した相関関数からの結果として生じる値は、特定のスケール（例えば、−２〜＋２）に合うように正規化されることができる。
【００８８】
さらに、数字が解釈され得る容易さを増加させるために、少なくとも一実装では、グラフィカルスライダも、色分けされることができ（再び、例えば、エンドユーザによる意思決定の容易さをもたらす）、したがって、理想的な範囲内の値は、スペクトル上の特定の色（例えば、緑色）である一方、理想的な範囲の外の値は、スペクトル上の異なる色（例えば、黄色または赤色）である。少なくとも一実装では、ユーザに効果テクスチャ間の類似性についての指示を提供することに加えて、グラフィカルスライダは、ユーザが、提案された合致コーティングが標的コーティングを上回る効果テクスチャを備えているか、または下回る効果テクスチャを備えているかを決定することも可能にする。
【００８９】
色トラベル列６７０は、色トラベル評価を備えていることができる。色トラベル評価は、標的コーティングのコーティング色トラベルと提案されたコーティング合致相手の各々のそれぞれのコーティング色トラベルとの間の類似性を示し得る。色トラベル評価は、種々の異なる形態において描写され得る。例えば、図６では、色コーティング評価は、合致のテキスト説明として描写される。特に、テキスト説明は、「ＯＫ」、「フェイス：より明るい」、「フェイス：より青い」、「フロップ：より黄色い」、および「フロップ：より赤い、より黄色い」等の説明を備えている。したがって、ユーザは、色トラベルが合致する（すなわち、「ＯＫ」）指示または色トラベルにおける差異の説明を提供され得る。
【００９０】
少なくとも一実装では、テキスト説明は、上で説明される人の知覚相対的テクスチャ特性を使用して導出され得る。例えば、描写されるテキスト説明は、図３および５に関して描写および説明されるものと類似する相関を使用して導出され得る。例えば、結果として生じる相関値は、特定の色差（例えば、より黄色い、より赤い等）に関連付けられ得る。種々の提案された合致コーティングの色トラベルを説明するとき、説明「ＯＫ」は、標的コーティングの所望の閾値内に該当する色を説明するために使用されることができる。閾値外に該当する提案された合致コーティングに関連付けられる色トラベル評価は、次いで、人の知覚相関によって決定されるように、色差を用いて説明されることができる。
【００９１】
コーティング製造業者列６８０、コーティング説明列６９０、および塗料システム列６９５は、それぞれ、各それぞれの提案された合致コーティングに関連する種々のテキスト情報を描写する。描写される情報は、（図１に描写される）コーティング情報データベース１４０から収集されることができる。情報は、合致を検証することと、所望のコーティングを順序付けまたは混合することとにおける両方でユーザを補助し得る。例えば、ユーザは、特定のブランドの自動車に対する塗料合致相手を検索し得る。提案された合致コーティングが特定のブランドの自動車に対する製造業者に関連付けられることを検証することは、提案された合致相手が正しいことをさらに検証する役割を果たし得る。
【００９２】
故に、図６は、各それぞれの提案された合致相手についての情報を提供するための種々の列６３０、６４０、６５０、６６０、６７０、６８０、６９０、６９５を描写する、ユーザインターフェース６００の実装を描写する。描写される列は、グラフィカルスライダ、数値、およびテキスト説明を含む、評価の種々の異なる視覚的描写を備えている。評価の視覚的描写の各々は、図６の特定の列およびデータに関連付けられるが、評価の特定の視覚的描写は、例のためにのみ示され、代替実装では、評価のそれぞれの視覚的描写は、他の列およびデータに関連付けられ得ることを理解されたい。したがって、列６３０、６４０、６５０、６６０、６７０、６８０、６９０、６９５内の評価のいずれかは、グラフィカルスライダ、数値、および／またはテキスト説明の任意の組み合わせを使用して適切に描写され得る。
【００９３】
少なくとも一実装では、ユーザインターフェース６００を生成すると、システムは、ユーザから好ましい評価を受信することができる。好ましい評価は、効果テクスチャ評価、スパークル色評価、コーティング色評価、色トラベル評価、または任意の他の着目評価を備え得る。提案されたコーティング合致相手の全体的ランキングまたは順序付けが、次いで、ユーザから受信された好ましい評価に基づいてソートされ得る。
【００９４】
例えば、ユーザは、標的塗料の色トラベルを合致させることに特に関心があり得る。好ましい評価として色トラベル評価を選択することは、システムに、色トラベル評価が優先順位を付けられるように提案された合致コーティングをソートさせることができる。特定の評価に優先順位を付けることは、任意の他の評価の類似性に関わらず、好ましい評価によって単純にソートすることを含み得る。対照的に、代替実装では、特定の評価に優先順位を付けることは、提案された合致する色間の結び付きを断つと、システムを好ましい評価に依拠させ得る。さらに、少なくとも一実装では、特定の評価に優先順位を付けることは、システムに、他の評価に対して好ましい評価を重み付けさせ得、それによって、類似する好ましい評価を伴う提案された合致コーティングは、それらがそうでなければそうであったであろうものよりもランキングにおいて上位にソートされる。
【００９５】
同様に、少なくとも一実装では、ユーザインターフェース６００を生成すると、システムは、ユーザから１つ以上の評価閾値を受信することができる。１つ以上の評価閾値は、効果テクスチャ評価、スパークル色評価、コーティング色評価、色トラベル評価、または任意の他の着目評価に関連するユーザ定義された許容可能閾値を備え得る。提案されたコーティング合致相手の全体的ランキングまたは順序付けが、次いで、ユーザから受信されたユーザ定義された許容可能閾値に基づいてソートされ得る。
【００９６】
例えば、ユーザは、標的塗料の効果テクスチャを合致させることに特に関心があり得る。近い合致を確実にするために、ユーザは、＋／−３の効果テクスチャ評価に関するユーザ定義された許容可能閾値を設定することができる。少なくとも一実装では、システムは、ユーザ定義された許容可能閾値を満たすことができない全ての提案されたコーティング合致相手を除外するであろう。
【００９７】
ユーザインターフェース６００は、コンピューティングデバイス１６０に関連付けられるデジタルディスプレイ等のデジタルディスプレイ上にレンダリングされることができる。本発明は、コンピューティングシステム（コンピューティングデバイス１６０等）における実行のためのコンピュータ化方法を含むことができる。コンピュータ化システムは、メモリと、少なくとも１つのプロセッサと、少なくとも１つのプロセッサによって実行されると、コンピュータ化システム内の１つ以上のプロセッサに、エンドユーザがコーティングテクスチャに関連する未加工分光光度計データに基づいて標的コーティングを別のコーティングに合致させることを可能にするグラフィカルユーザインターフェース６００をディスプレイデバイス上に表示させる記憶される命令を有する記憶デバイスとを備えている。コンピュータデバイス１６０は、標的コーティングの色を示すアイコン６１５をグラフィカルユーザインターフェース６００上に表示することができる。アイコン６１５は、標的物体（図示せず）に適用される標的コーティングにたいする取得される未加工分光光度データ（例えば、コーティングテクスチャ変数）に応答して、コンピューティングデバイス１６０によって選択されることができる。
【００９８】
コンピューティングデバイス１６０は、データベース内に記憶されている事前決定されたコーティング情報に対する標的コーティングの潜在的合致相手の量を示す数字を表示することもできる。例えば、図６は、「５つの潜在的合致相手」が存在することを示す。合致相手は、標的コーティングからのテクスチャ変数および人が提供した印象データの相関に基づき得る。各潜在的合致相手のために、コンピューティングデバイス１６０は、グラフィカルユーザインターフェース６００上に、潜在的合致相手を視覚的に表す（列６３０に示される）アイコン、（「Ａｃｍｅ」として図６に示される）標的物体または標的コーティングに関連付けられる製造業者を視覚的に示す少なくとも１つのフィールド、潜在的合致相手に対する色値（「ＪＶ：緑色」として図６に示される）を示す少なくとも１つのフィールド、および潜在的合致相手に対するテクスチャ値を視覚的に示す少なくとも１つのフィールド（列６６０に示される）を表示する。
【００９９】
少なくとも一実装では、コンピューティングシステム１６０は、（列６６０に示されるような）スライダバーの視覚的描写を表示することができる。スライダバーにおけるスライダの場所は、標的コーティングと潜在的合致相手との間の相対的テクスチャ差異を示す。例えば、スライダがスライダバーの中間にあるとき、標的コーティングと潜在的合致とは、相対的テクスチャ差異を殆どまたは全く有していない。対照的に、スライダが中間の片側にあるとき、潜在的合致相手は、スライダの位置に応じて、標的コーティングを上回るテクスチャまたは下回るテクスチャのいずれかを有する。
【０１００】
故に、グラフィカルユーザインターフェース６００は、理解することが容易な有用な形態において有益な情報をエンドユーザに提供することができる。色データ、テクスチャデータ、スパークル色データ、および他の関連するデータは、単一の数字、バーチャート、テキスト説明の形態、または任意の他の単純な有用な形態において提供されることができる。エンドユーザは、効率的かつ正確な様式で提案された合致するコーティングの選択肢を迅速かつ容易に識別することができる。
【０１０１】
ここで図７に目を向けると、図７は、別の例示的コーティングテクスチャ情報ユーザインターフェース７００を描写する。特に、図７は、任意の提案された合致コーティングを伴わずに標的コーティングのみを説明するためのユーザインターフェース７００を描写する。描写される実装では、ユーザインターフェース７００は、標的コーティングの画像７１０または写真を備えている。加えて、ユーザインターフェース７００は、標的コーティングに関連付けられる名称７１２、色値７１４、および全体的テクスチャ評価７２０を描写する。名称７１２は、ユーザによって手動で提供され得る一時的サンプル名称を備え得る、または別様に提供され得る。色値７１４は、標的コーティング自体から導出される色合致相手を備え得る。しかしながら、種々の実装では、色値７１４は、描写されない場合がある。
【０１０２】
全体的テクスチャ評価７２０は、単一の値において標的コーティングのテクスチャを説明する全体的テクスチャ値を備え得る。全体的テクスチャ評価７２０は、「全体的に知覚されるテクスチャ」指示を直接要求する人の視点テクスチャ比較チャート２５０（図２に示される）から直接計算され得る。しかしながら、少なくとも一実装では、全体的テクスチャ評価７２０は、他のテクスチャ評価７４０、７５０、７６０の一部に基づいて計算されることができる。例えば、全体的テクスチャ評価７２０は、少なくともスパークル色評価７４０、効果テクスチャ評価７５０、および色トラベル評価７６０を平均することによって計算されることができる。
【０１０３】
少なくとも一実装では、ユーザインターフェース７００は、ユーザが従来のテクスチャデータを閲覧することを可能にするデータ部分７７０を備えていることもできる。例えば、データ部分７７０は、コーティング測定器具から受信された全てのデータおよび変数を表示するように視覚的に拡張可能であり得る。しかしながら、少なくとも一実装では、データ部分７７０は、最初にビューから隠され、それによって、インターフェース７００は、単純かつクリーンな編成の情報を描写する。加えて、少なくとも一実装では、全体的評価７２０以外のテクスチャ評価７３０、７４０、７５０、７６０も、最初に描写されない。
【０１０４】
描写されるように、ユーザインターフェース７００は、特定の提案された合致コーティング評価に関係なく、標的色７１０に対する種々のテクスチャ評価７２０、７４０、７５０、７６０を表示することができる。少なくとも一実装では、種々の描写される評価７２０、７３０、７４０、７５０、７６０は、多数の他のコーティング構成に関して計算される。例えば、評価７２０、７３０、７４０、７５０、７６０は、コーティング情報データベース１４０内に記憶される全ての他のコーティングに関して計算されることもできる。対照的に、少なくとも一実装では、評価７２０、７３０、７４０、７５０、７６０は、自動的に、またはユーザによってのいずれかで定義される特定の色空間に関して計算されることができる。例えば、ユーザは、特定の製造業者によって提供されるコーティングに関して、標的色７１０のための評価７２０、７３０、７４０、７５０、７６０の各々を把握することを望み得る。したがって、評価７２０、７３０、７４０、７５０、７６０の各々は、その特定の製造業者によって提供される全てのコーティングと比較されるように計算されることができる。
【０１０５】
故に、図１−７および対応するテキストは、塗料サンプルを分析し、標的コーティングの種々の属性を説明する値を生成するように適合される本発明の種々の実装を描写または別様に説明する。特に、上で説明されるユーザインターフェースの実装は、テクスチャ特性の種々の独特の側面を説明する単純なテクスチャ評価を表示することができる。加えて、少なくとも一実装では、ユーザインターフェースは、種々のテクスチャおよびコーティングの人の知覚に基づく評価を表示することができる。
【０１０６】
例えば、図８は、塗料サンプルを種々の提案された塗料コーティングに合致させる方法が、コーティング変数を受信する行為８００を含み得ることを図示する。行為８００は、コーティング測定器具から標的コーティングの１つ以上のコーティング変数を受信することを含むことができる。例えば、図１に関して描写および説明されるように、コーティングテクスチャ計算ソフトウェアアプリケーション１００（例えば、コンピュータシステム１６０上で実行される）が、カメラ対応分光光度計１１０から種々のコーティング変数を受信することができる。
【０１０７】
加えて、図８は、方法が、効果テクスチャ評価、スパークル色評価、コーティング色評価、および／またはコーティングトラベル評価を表示するために、それぞれ、行為８１０、行為８２０、行為８３０、および／または行為８４０のうちの１つ以上のものを任意の順序で含み得ることを示す。行為８１０−８４０は、デジタルディスプレイデバイス上に複数のそれぞれの提案されたコーティング合致相手に対するそれぞれの評価８１０、８２０、８３０、８４０を表示するとこを含むことができる。それぞれの評価は、標的コーティングの１つ以上のコーティング特性とそれぞれの提案されたコーティング合致相手の各々のそれぞれのコーティングテクスチャ特性との間の類似性を示すことができる。例えば、図６および７ならびに付随の説明に描写および説明されるように、ユーザインターフェース６００、７００は、全体的テクスチャ評価７２０、合致評価６４０、７３０、スパークル色評価６５０、７４０、効果テクスチャ評価６６０、７４０、色トラベル評価６７０、７６０、または任意の他のコーティング評価の任意の組み合わせを表示することができる。
【０１０８】
図８は、方法が提案されたコーティング合致相手を順序付ける行為８５０を含み得ることも示す。行為８５０は、提案されたコーティング合致相手の少なくとも一部を順序付けるステップを含むことができる。順序付けは、コーティングテクスチャ評価に関して、標的コーティングと提案されたコーティング合致相手のうちの少なくとも一部の各々との間の類似性における強度を示す。例えば、図６に関して描写および説明されるように、提案されたコーティング合致相手の組６２０は、種々のコーティング評価６４０、６５０、６６０、６７０に関する各それぞれの提案された合致コーティングの類似性に基づいてソートされることができる。
【０１０９】
故に、テクスチャ合致コンピュータシステムの実装は、コーティング特定のテクスチャ情報を処理および表示するための独特かつ新規の方法およびシステムを提供することができる。加えて、テクスチャ情報ユーザインターフェースの実装は、単一の全体的テクスチャ評価または属性特定のテクスチャ評価の組を表示することができる。さらに、少なくとも一実装では、種々のテクスチャ評価は、人の知覚相関に基づくことができる。
【０１１０】
本主題は、構造的特徴および／または方法論的行為に特定の言語で説明されたが、添付される請求項に定義される主題は、必ずしも、上で説明される特徴もしくは説明される行為または上で説明される行為の順序に限定されないことを理解されたい。むしろ、説明される特徴および行為は、請求項を実装する例示的形態として開示される。
【０１１１】
本発明は、以下により詳細に議論されるように、例えば、１つ以上のプロセッサおよびシステムメモリ等のコンピュータハードウェアを含む専用または汎用コンピュータシステムを備え、または利用し得る。本発明の範囲内の実施形態は、コンピュータ実行可能命令および／またはデータ構造を伝搬もしくは記憶するための物理的および他のコンピュータ読み取り可能な媒体も含む。そのようなコンピュータ読み取り可能な媒体は、汎用または専用コンピュータシステムによってアクセスされ得る任意の利用可能な媒体であり得る。コンピュータ実行可能命令および／またはデータ構造を記憶するコンピュータ読み取り可能な媒体は、コンピュータ記憶媒体である。コンピュータ実行可能命令および／またはデータ構造を伝搬するコンピュータ読み取り可能な媒体は、伝送媒体である。したがって、限定ではなく、例として、本発明の実施形態は、少なくとも２つの明確に異なる種類のコンピュータ読み取り可能な媒体、すなわち、コンピュータ記憶媒体と、伝送媒体とを備えていることができる。
【０１１２】
コンピュータ記憶媒体は、コンピュータ実行可能命令および／またはデータ構造を記憶する物理的記憶媒体である。物理的記憶媒体は、ＲＡＭ、ＲＯＭ、ＥＥＰＲＯＭ、ソリッドステートドライブ（「ＳＳＤ」）、フラッシュメモリ、相変化メモリ（「ＰＣＭ」）、光学ディスク記憶装置、磁気ディスク記憶装置もしくは他の磁気記憶デバイス、または本発明の開示される機能性を実装するように汎用または専用コンピュータシステムによってアクセスおよび実行され得るコンピュータ実行可能命令またはデータ構造の形態におけるプログラムコードを記憶するために使用され得る任意の他のハードウェア記憶デバイス等のコンピュータハードウェアを含む。
【０１１３】
伝送媒体は、コンピュータ実行可能命令またはデータ構造の形態におけるプログラムコードを伝搬するために使用され得、汎用または専用コンピュータシステムによってアクセスされ得るネットワークおよび／またはデータリンクを含むことができる。「ネットワーク」は、コンピュータシステムおよび／またはモジュールおよび／または他の電子デバイス間の電子データの転送を可能にする１つ以上のデータリンクとして定義される。情報がネットワークまたは別の通信接続（有線、無線、または有線もしくは無線の組み合わせのいずれか）を経由してコンピュータシステムに転送もしくは提供される場合、コンピュータシステムは、接続を伝送媒体と見なし得る。上記の組み合わせも、コンピュータ読み取り可能な媒体の範囲内に含まれるべきである。
【０１１４】
さらに、種々のコンピュータシステムコンポーネントに到達すると、コンピュータ実行可能命令またはデータ構造の形態におけるプログラムコードは、伝送媒体からコンピュータ記憶媒体に自動的に転送されることができる（逆もまた同様である）。例えば、ネットワークまたはデータリンクを経由して受信されるコンピュータ実行可能命令もしくはデータ構造は、ネットワークインターフェースモジュール（例えば、「ＮＩＣ」）内のＲＡＭにおいてバッファリングされ、次いで、最終的に、コンピュータシステムＲＡＭおよび／またはコンピュータシステムにおけるより非揮発性コンピュータ記憶媒体に転送されることができる。したがって、コンピュータ記憶媒体は、（またはさらには主として）伝送媒体を利用するコンピュータシステムコンポーネントにも含まれ得ることを理解されたい。
【０１１５】
コンピュータ実行可能命令は、例えば、１つ以上のプロセッサにおいて実行されると、汎用コンピュータシステム、専用コンピュータシステム、または専用処理デバイスに、ある機能もしくは機能群を実施させる命令およびデータを備えている。コンピュータ実行可能命令は、例えば、バイナリ、アセンブリ言語等の中間フォーマット命令、またはさらにはソースコードであり得る。
【０１１６】
当業者は、本発明が、パーソナルコンピュータ、デスクトップコンピュータ、ラップトップコンピュータ、メッセージプロセッサ、ハンドヘルドデバイス、マルチプロセッサシステム、マイクロプロセッサベースまたはプログラマブル消費者用電子機器、ネットワークＰＣ、ミニコンピュータ、メインフレームコンピュータ、モバイル電話、ＰＤＡ、タブレット、ページャ、ルータ、スイッチ等を含む多くのタイプのコンピュータシステム構成を伴うネットワークコンピューティング環境において実践され得ることを認識するであろう。本発明は、ネットワークを通して（有線データリンク、無線データリンク、または有線および無線データリンクの組み合わせのいずれかによって）リンクされるローカルおよび遠隔コンピュータシステムが両方ともタスクを実施する、分散システム環境においても実践され得る。したがって、分散システム環境では、コンピュータシステムは、複数の構成要素コンピュータシステムを含み得る。分散システム環境では、プログラムモジュールが、ローカルおよび遠隔の両方のメモリ記憶デバイス内に位置し得る。
【０１１７】
当業者は、本発明がクラウドコンピューティング環境において実践され得ることも認識するであろう。クラウドコンピューティング環境は、分散され得るが、それは、要求されない。分散される場合、クラウドコンピューティング環境は、組織内で国際的に分散され、および／または、複数の組織を横断して保有されるコンポーネントを有し得る。本説明および以下の請求項では、「クラウドコンピューティング」は、構成可能コンピューティングリソース（例えば、ネットワーク、サーバ、記憶装置、アプリケーション、およびサービス）の共有プールへのオンデマンドネットワークアクセスを可能にするためのモデルとして定義される。「クラウドコンピューティング」の定義は、適切に展開されたときにそのようなモデルから取得され得る他の多数の利点のいずれかに限定されない。
【０１１８】
クラウドコンピューティングモデルは、オンデマンドセルフサービス、広範なネットワークアクセス、リソースプーリング、迅速な融通性、度数制等の種々の特性から成ることができる。クラウドコンピューティングモデルは、例えば、サービスとしてのソフトウェア（「ＳａａＳ」）、サービスとしてのプラットフォーム（「ＰａａＳ」）、およびサービスとしてのインフラストラクチャ（「ＩａａＳ」）等の種々のサービスモデルの形態においても現れ得る。クラウドコンピューティングモデルは、プライベートクラウド、コミュニティクラウド、パブリッククラウド、ハイブリッドクラウド等の異なる展開モデルを使用して展開され得る。
【０１１９】
クラウドコンピューティング環境等のいくつかの実施形態は、各々が１つ以上の仮想マシンを起動することが可能な１つ以上のホストを含むシステムを備え得る。動作中、仮想マシンは、動作コンピューティングシステムをエミュレートし、オペレーティングシステム、および、おそらく、１つ以上の他のアプリケーションも同様にサポートする。いくつかの実施形態では、各ホストは、仮想マシンのビューから抽象化される物理的リソースを使用して、仮想マシンに関する仮想リソースをエミュレートするハイパーバイザを含む。ハイパーバイザは、仮想マシン間に適切な分離も提供する。したがって、任意の所与の仮想マシンの観点から、仮想マシンが物理的リソースの外観（例えば、仮想リソース）のみとインターフェースするにもかかわらず、ハイパーバイザは、仮想マシンが物理的リソースとインターフェースしているという錯覚を提供する。物理的リソースの例は、処理容量、メモリ、ディスクスペース、ネットワーク帯域幅、メディアドライブ等を含む。
【０１２０】
本発明は、したがって、特に、それに限定されないが、以下の側面に関する。
【０１２１】
１．  少なくとも１つのプロセッサを使用して、コーティング測定器具から、スパークル色特性、コーティングテクスチャ特性、コーティング色特性、およびコーティング色トラベル特性、ならびにそれらの組み合わせから選択される標的コーティングの１つ以上のコーティング特性を受信することと、プロセッサを使用して、複数の基準コーティングに関する対応するコーティング特性と、異なる基準コーティングの視覚的外観の関連付けられる比較人評価とを備えているデータベースにアクセスすることと、プロセッサを使用して、複数の基準コーティングから複数の有望な合致するコーティングを識別することと、プロセッサを使用して、標的コーティングの受信された１つ以上のコーティング特性およびデータベース内に記憶されるデータに基づいて、コーティング特性のうちの１つ以上のものに関して、標的コーティングと識別された有望な合致する基準コーティングの各々との間の類似性を示す評価を決定することと、プロセッサを使用して、複数の有望な合致する基準コーティングの少なくとも一部に対する決定された評価をユーザに表示することと、プロセッサを使用して、コーティング特性のうちの１つ以上のものに関して決定された評価に基づいて、有望な合致する基準コーティングの少なくとも一部を順序付けることとを含む、コンピュータ実装方法。
【０１２２】
２．  プロセッサを使用して、コーティング測定器具から、標的コーティングの１つ以上のコーティング特性を受信するステップは、プロセッサを使用して、標的コーティングの１つ以上のコーティングテクスチャ特性を受信することを含み、コーティング特性のうちの１つ以上のものに関して、標的コーティングと識別された有望な合致する基準コーティングの各々との間の類似性を示す評価を決定するステップは、プロセッサを使用して、標的コーティングの受信された１つ以上のコーティングテクスチャ特性およびデータベース内に記憶されるデータに基づいて、コーティングテクスチャ特性のうちの１つ以上のものに関して、標的コーティングと識別された有望な合致する基準コーティングの各々との間の類似性を示す評価を決定することを含み、順序付けは、コーティングテクスチャ特性のうちの１つ以上のものに関して決定された評価に基づく、側面１に記載のコンピュータ実装方法。
【０１２３】
３．  プロセッサを使用して、コーティング測定器具から、標的コーティングの１つ以上のコーティング特性を受信するステップは、プロセッサを使用して、標的コーティングの１つ以上のスパークル色特性を受信することをさらに含み、コーティング特性のうちの１つ以上のものに関して、標的コーティングと識別された有望な合致する基準コーティングの各々との間の類似性を示す評価を決定するステップは、プロセッサを使用して、標的コーティングの受信された１つ以上のスパークル色特性およびデータベース内に記憶されるデータに基づいて、スパークル色特性のうちの１つ以上のものに関して、標的コーティングと識別された有望な合致する基準コーティングの各々との間の類似性を示す評価を決定することをさらに含み、順序付けはまた、スパークル色特性のうちの１つ以上のものに関して決定された評価に基づく、側面２に記載のコンピュータ実装方法。
【０１２４】
４．  プロセッサを使用して、コーティング測定器具から、標的コーティングの１つ以上のコーティング特性を受信するステップは、プロセッサを使用して、標的コーティングの１つ以上のコーティング色特性を受信することをさらに含み、コーティング特性のうちの１つ以上のものに関して、標的コーティングと識別された有望な合致する基準コーティングの各々との間の類似性を示す評価を決定するステップは、プロセッサを使用して、標的コーティングの受信された１つ以上のコーティング色特性およびデータベース内に記憶されるデータに基づいて、コーティング色特性のうちの１つ以上のものに関して、標的コーティングと識別された有望な合致する基準コーティングの各々との間の類似性を示す評価を決定することを含み、順序付けは、コーティング色特性のうちの１つ以上のものに関して決定された評価にも基づく、側面２または３に記載のコンピュータ実装方法。
【０１２５】
５．  ユーザ入力から好ましい特性を受信することをさらに含み、好ましい特性は、コーティングテクスチャ特性、コーティングスパークル色特性、またはコーティング色特性であり、順序付けは、好ましい特性に優先順位を付けることによって決定される、前述の側面のうちのいずれか１つに記載のコンピュータ実装方法。
【０１２６】
６．  ユーザから１つ以上の特性閾値を受信することをさらに含み、１つ以上の特性閾値は、１つ以上のコーティングテクスチャ特性、１つ以上のコーティングスパークル色特性、および／または１つ以上のコーティング色特性に関連するユーザ定義された許容可能閾値を定義し、順序付けは、１つ以上の特性閾値を考慮する、前述の側面のうちのいずれか１つに記載のコンピュータ実装方法。
【０１２７】
７．  プロセッサを使用して、コーティング測定器具から、標的コーティングの１つ以上のコーティング特性を受信するステップは、プロセッサを使用して、標的コーティングの１つ以上のコーティング色トラベル特性を受信することをさらに含み、コーティング特性のうちの１つ以上のものに関して、標的コーティングと識別された有望な合致する基準コーティングの各々との間の類似性を示す評価を決定するステップは、プロセッサを使用して、標的コーティングの受信された１つ以上のコーティング色トラベル特性およびデータベース内に記憶されるデータに基づいて、コーティング色トラベル特性のうちの１つ以上のものに関して、標的コーティングと識別された有望な合致する基準コーティングの各々との間の類似性を示す評価を決定することを含み、順序付けは、コーティング色トラベル特性のうちの１つ以上のものに関して決定された評価にも基づく、前述の側面２−６のうちのいずれか１つに記載のコンピュータ実装方法。
【０１２８】
８．  プロセッサを使用して、複数の有望な合致する基準コーティングの少なくとも一部に関するコーティング色トラベル特性のうちの１つ以上のものに関して、標的コーティングと識別された有望な合致する基準コーティングの各々との間の類似性を示す決定された評価をユーザに表示することを含み、表示することは、フェイス色またはフロップ色における差異を示す視覚指示を表示することを含む、側面７に記載のコンピュータ実装方法。
【０１２９】
９．  プロセッサを使用して、複数の有望な合致する基準コーティングの少なくとも一部に関するコーティングテクスチャ特性のうちの１つ以上のものに関して、標的コーティングと識別された有望な合致する基準コーティングの各々との間の類似性を示す決定された評価をユーザに表示することを含み、表示することは、（ａ）有望な合致する基準コーティングの各々に関連付けられる１つ以上のコーティングテクスチャ特性が、標的コーティングと比較してより粗いか、またはより微細であるかを示す視覚指示を表示すること、および／または、（ｂ）有望な合致する基準コーティングの各々に関連付けられる１つ以上のコーティングテクスチャ特性が、標的コーティングと比較して上回るテクスチャを備えているか、または下回るテクスチャを備えているかを示す視覚指示を表示することを含む、前述の側面２−８のうちのいずれか１つに記載のコンピュータ実装方法。
【０１３０】
１０．  コーティング測定器具は、カメラ具備分光光度計である、前述の側面のうちのいずれか１つに記載のコンピュータ実装方法。
【０１３１】
１１．  ディスプレイを備えているユーザインターフェースと、複数の基準コーティングに関する１つ以上のコーティング特性と、異なる基準コーティングの視覚的外観の関連付けられる比較人評価とを備えているデータベースと、コーティング測定器具と、ユーザインターフェース、データベース、およびコーティング測定器具と通信する少なくとも１つのプロセッサとを備え、少なくとも１つのプロセッサは、コーティング測定器具から、スパークル色特性、コーティングテクスチャ特性、コーティング色特性、コーティング色トラベル特性、およびそれらの組み合わせから選択される標的コーティングの１つ以上のコーティング特性を受信し、データベース内の複数の基準コーティングから複数の有望な合致するコーティングを識別し、標的コーティングの受信された１つ以上のコーティング特性およびデータベース内に記憶されるデータに基づいて、コーティング特性のうちの１つ以上のものに関して、標的コーティングと識別された有望な合致する基準コーティングの各々との間の類似性を示す評価を決定し、複数の有望な合致する基準コーティングの少なくとも一部に対する決定された評価をディスプレイ上でユーザに表示し、コーティング特性のうちの１つ以上のものに関して決定された評価に基づいて、有望な合致する基準コーティングの少なくとも一部を順序付けるように構成される、システム。
【０１３２】
１２．  プロセッサは、コーティング測定器具から、標的コーティングの１つ以上のコーティングテクスチャ特性を受信し、標的コーティングの受信された１つ以上のコーティングテクスチャ特性およびデータベース内に記憶されるデータに基づいて、コーティングテクスチャ特性のうちの１つ以上のものに関して、標的コーティングと識別された有望な合致する基準コーティングの各々との間の類似性を示す評価を決定するように構成され、順序付けは、コーティングテクスチャ特性のうちの１つ以上のものに関して決定された評価に基づく、側面１１に記載のシステム。
【０１３３】
１３．  プロセッサは、コーティング測定器具から、標的コーティングの１つ以上のスパークル色特性を受信し、標的コーティングの受信された１つ以上のスパークル色特性およびデータベース内に記憶されるデータに基づいて、スパークル色特性のうちの１つ以上のものに関して、標的コーティングと識別された有望な合致する基準コーティングの各々との間の類似性を示す評価を決定するようにさらに構成され、順序付けは、スパークル色特性のうちの１つ以上のものに関して決定された評価にも基づく、側面１２に記載のシステム。
【０１３４】
１４．  スパークル色特性のうちの１つ以上のものに関して、標的コーティングと識別された有望な合致する基準コーティングの各々との間の類似性を示す評価を決定することは、第１の着色スパークルの第２の着色スパークルに対するコーティングスパークル色比率を計算することを含む、側面１３に記載のシステム。
【０１３５】
１５．  プロセッサは、コーティング測定器具から、標的コーティングの１つ以上のコーティング色特性を受信し、標的コーティングの受信された１つ以上のコーティング色特性およびデータベース内に記憶されるデータに基づいて、コーティング色特性のうちの１つ以上のものに関して、標的コーティングと識別された有望な合致する基準コーティングの各々との間の類似性を示す評価を決定するようにさらに構成され、順序付けは、コーティング色特性のうちの１つ以上のものに関して決定された評価にも基づく、側面１２−側面１４のうちのいずれか１つに記載のシステム。
【０１３６】
１６．  プロセッサは、ユーザインターフェースを介してユーザから好ましい特性を受信するようにさらに構成され、好ましい特性は、コーティングテクスチャ特性、コーティングスパークル色特性、またはコーティング色特性であり、順序付けは、好ましい特性に優先順位を付けることによって決定される、前述の側面１１−１５のうちのいずれか１つに記載のシステム。
【０１３７】
１７．  プロセッサは、ユーザインターフェースを介してユーザから１つ以上の特性閾値を受信するようにさらに構成され、１つ以上の特性閾値は、１つ以上のコーティングテクスチャ特性、１つ以上のコーティングスパークル色特性、および／または１つ以上のコーティング色特性に関連するユーザ定義された許容可能閾値を定義し、順序付けは、１つ以上の特性閾値を考慮する、前述の側面１１−１６のうちのいずれか１つに記載のシステム。
【０１３８】
１８．  プロセッサは、コーティング測定器具から、標的コーティングの１つ以上のコーティング色トラベル特性を受信し、標的コーティングの受信された１つ以上のコーティング色トラベル特性およびデータベース内に記憶されるデータに基づいて、コーティング色トラベル特性のうちの１つ以上のものに関して、標的コーティングと識別された有望な合致する基準コーティングの各々との間の類似性を示す評価を決定するようにさらに構成され、順序付けは、コーティング色トラベル特性のうちの１つ以上のものに関して決定された評価にも基づく、側面１２−１７のうちのいずれか１つに記載のシステム。
【０１３９】
１９．  プロセッサは、（ａ）有望な合致する基準コーティングの各々に関連付けられる１つ以上のコーティングテクスチャ特性が、標的コーティングと比較してより粗いか、またはより微細であるかを示す視覚指示、および／または、（ｂ）有望な合致する基準コーティングの各々に関連付けられる１つ以上のコーティングテクスチャ特性が、標的コーティングと比較して上回るテクスチャを備えているか、または下回るテクスチャを備えているかを示す視覚指示をディスプレイ上でユーザに表示するようにさらに構成される、前述の側面１２−１８のうちのいずれか１つに記載のシステム。
【０１４０】
２０．  コーティング測定器具は、カメラ具備分光光度計である、前述の側面１１−１９のうちのいずれか１つに記載のシステム。
【０１４１】
２１．  プロセッサに、コーティング測定器具から、スパークル色特性、コーティングテクスチャ特性、コーティング色特性、コーティング色トラベル特性、およびそれらの組み合わせから選択される標的コーティングの１つ以上のコーティング特性を受信させ、複数の基準コーティングに関する対応するコーティング特性と、異なる基準コーティングの視覚的外観の関連付けられる比較人評価とを備えているデータベースにアクセスさせ、データベース内の複数の基準コーティングから複数の有望な合致するコーティングを識別させ、標的コーティングの受信された１つ以上のコーティング特性およびデータベース内に記憶されるデータに基づいて、コーティング特性のうちの１つ以上のものに関して、標的コーティングと識別された有望な合致する基準コーティングの各々との間の類似性を示す評価を決定させ、複数の有望な合致する基準コーティングの少なくとも一部に対する決定された評価をディスプレイ上でユーザに表示させ、コーティング特性のうちの１つ以上のものに関して決定された評価に基づいて、有望な合致する基準コーティングの少なくとも一部を順序付けさせるためのソフトウェアを含む、非一過性コンピュータ読み取り可能な媒体。
【０１４２】
２２．グラフィカルユーザインターフェースのためのコンピューティングシステムにおける実行のためのコンピュータ化方法であって、コンピュータ化システムは、メモリと、少なくとも１つのプロセッサと、少なくとも１つのプロセッサによって実行されると、コンピュータ化システム内の１つ以上のプロセッサに、エンドユーザがコーティングテクスチャに関連する未加工分光光度計データに基づいて標的コーティングを別のコーティングに合致させることを可能にするグラフィカルユーザインターフェースをディスプレイデバイス上に表示させる、記憶される命令を有する記憶デバイスとを備え、方法は、標的コーティングの色を示すアイコンをグラフィカルユーザインターフェース上に表示することであって、アイコンは、標的物体に適用される標的コーティングに対する取得される未加工分光光度データに応答して、コンピューティングシステムによって選択される、ことと、データベース内に記憶されている事前決定されたコーティング情報に対する標的コーティングの潜在的合致相手の量を示す数字を表示することであって、合致相手は、標的コーティングからのテクスチャ変数および人が提供した印象データの相関に基づく、ことと、グラフィカルユーザインターフェース上に表示される各潜在的合致相手のために、潜在的合致相手を視覚的に表すアイコンを表示することと、スライダバーの視覚描写を表示することであって、スライダバーは、標的コーティングと潜在的合致相手との間の相対的テクスチャ差異を示す、ことと、標的物体または標的コーティングに関連付けられる製造業者を視覚的に示す少なくとも１つのフィールドを表示することと、潜在的合致相手のための色値を示す、少なくとも１つのフィールドを表示することと、潜在的合致相手のためのテクスチャ値を視覚的に示す少なくとも１つのフィールドを表示することとを含む。
【０１４３】
２３．  １つ以上のプロセッサと、システムメモリと、コンピュータ実行可能命令を記憶している１つ以上のコンピュータ読み取り可能な媒体とを備えているコンピュータシステム上での実行のためのコンピュータ化方法であって、コーティング測定器具から標的コーティングの１つ以上のコーティングテクスチャ変数を受信するステップと、デジタルディスプレイデバイス上で、デジタルディスプレイデバイス上の複数のそれぞれの提案されたコーティング合致相手のための効果テクスチャ評価を表示するステップであって、効果テクスチャ評価は、標的コーティングの１つ以上のコーティングテクスチャ変数とそれぞれの提案されたコーティング合致相手の各々のそれぞれのコーティングテクスチャ変数との間の類似性を示す、ステップと、提案されたコーティング合致相手を順序付けるステップであって、順序付けは、効果テクスチャ評価に関する標的コーティングと提案されたコーティング合致相手の各々との間の類似性における強度を示す、ステップとを含む塗料サンプルの種々の提案された塗料コーティングへの合致を表示する方法。
【０１４４】
２４．  コーティング測定器具から、標的コーティングの１つ以上のスパークル色変数を受信することと、デジタルディスプレイデバイス上で、各提案されたコーティング合致相手のためのスパークル色評価を表示することであって、スパークル色評価は、標的コーティングの１つ以上のスパークル色変数と各提案されたコーティング合致相手のそれぞれのスパークル色変数との間の類似性を示す、こととをさらに含み、順序付けは、スパークル色評価に関する標的コーティングと各提案されたコーティング合致相手との間の類似性における強度も示す、側面２３に記載の方法。
【０１４５】
２５．  コーティング測定器具から、標的コーティングの１つ以上のコーティング変数を受信することと、デジタルディスプレイデバイス上で、各提案されたコーティング合致相手のためのコーティング色評価を表示することであって、コーティング色評価は、標的コーティングの１つ以上のコーティング色変数と各提案されたコーティング合致相手のそれぞれのコーティング色変数との間の類似性を示す、こととをさらに含み、順序付けは、コーティング色評価に関する標的コーティングと各提案されたコーティング合致相手との間の類似性における強度も示す、側面２４に記載の方法。
【０１４６】
２６．  ユーザ入力から好ましい評価を受信することをであって、好ましい評価は、効果テクスチャ、コーティングスパークル色、またはコーティング色である、ことをさらに含み、順序付けは、好ましい評価に優先順位を付けることによって決定される、側面２５に記載の方法。
【０１４７】
２７．  ユーザ入力から１つ以上の評価閾値を受信することであって、１つ以上の評価閾値は、効果テクスチャ、コーティングスパークル色、またはコーティング色に関連するユーザ定義された許容可能閾値を定義する、ことをさらに含み、順序付けは、１つ以上の評価閾値を考慮する、側面２５に記載の方法。
【０１４８】
２８．  コーティング測定器具から、標的コーティングの１つ以上のコーティング色トラベル変数を受信することと、デジタルディスプレイデバイス上で、各提案されたコーティング合致相手のためのコーティング色トラベル評価を表示することであって、コーティング色トラベル評価は、標的コーティングの１つ以上のコーティング色トラベル変数と各提案されたコーティング合致相手のそれぞれのコーティング色トラベル変数との間の類似性を示す、こととをさらに含み、順序付けは、コーティング色トラベル評価に関する標的コーティングと各提案されたコーティング合致相手との間の類似性における強度も示す、側面２３に記載の方法。
【０１４９】
２９．  各提案されたコーティング合致相手のためのコーティング色トラベル評価を表示することは、フェイス色またはフロップ色における差異を示す視覚指示を表示することを含む、側面２８に記載の方法。
【０１５０】
３０．  効果テクスチャ評価を表示することは、各提案されたコーティング合致相手が標的コーティングよりも粗いか、またはより微細であるかを示す視覚指示を表示することを含む、側面２３に記載の方法。
【０１５１】
３１．  効果テクスチャ評価を表示することは、各提案されたコーティング合致相手が標的コーティングを上回るテクスチャを備えているか、または下回るテクスチャを備えているかを示す効果テクスチャ視覚指示を表示することを含む、側面２３に記載の方法。
【０１５２】
３２．  ディスプレイデバイスと、１つ以上のプロセッサと、システムメモリとを備えているコンピュータシステム上での実行のためのコンピュータ化方法であって、方法は、１つ以上の提案された合致する色の種々の属性を説明する値を表示するためのものであり、方法は、コーティング測定器具から、標的コーティングの複数のコーティング変数を受信することと、標的コーティングとの複数のそれぞれの提案されたコーティング合致相手に対するデータを受信することであって、データは、色データ、テクスチャデータ、および１つ以上のスパークル色評価を備え、複数のそれぞれの提案されたコーティング合致相手は、少なくとも部分的に、スパークル色変数の標的コーティングとの合致に基づいて合致させられる、ことと、ユーザインターフェースにおいて、各提案されたコーティング合致相手の受信されたスパークル色評価を表示することと、各提案されたコーティング合致相手の全体的ランキングを表示することであって、全体的ランキングは、標的コーティングと各提案されたコーティング合致相手とに関するスパークル色評価の類似性を示す、こととを含む。
【０１５３】
３３．  受信されたテクスチャデータは、各提案されたコーティング合致相手のための効果テクスチャ評価を備え、効果テクスチャ評価は、標的コーティングの１つ以上のコーティングテクスチャ変数と各提案されたコーティング合致相手のそれぞれのコーティングテクスチャ変数との間の類似性を示し、全体的ランキングは、標的コーティングと各提案されたコーティング合致相手とに関する効果テクスチャ評価の類似性も示す、側面３２に記載の方法。
【０１５４】
３４．  受信された色データは、各提案されたコーティング合致相手のためのコーティング色評価を備え、コーティング色評価は、標的コーティングの１つ以上のコーティング色変数と各提案されたコーティング合致相手のそれぞれのコーティング色変数との間の類似性を示し、全体的ランキングは、標的コーティングと各提案されたコーティング合致相手とに関するコーティング色評価の類似性も示す、側面３３に記載の方法。
【０１５５】
３５．  ユーザの好ましい評価に対応するデータを受信することであって、好ましい評価は、効果テクスチャ、スパークル色、またはコーティング色である、ことをさらに含み、全体的ランキングはまた、好ましい評価を示す、側面３４に記載の方法。
【０１５６】
３６．  １つ以上の評価閾値に対応するデータを受信することであって、１つ以上の評価閾値は、効果テクスチャ、コーティングスパークル色、またはコーティング色に関連するユーザ定義された許容可能閾値を定義する、ことをさらに含み、全体的ランキングは、１つ以上の評価閾値を考慮する、側面３４に記載の方法。
【０１５７】
３７．  各提案されたコーティング合致相手のためのコーティング色トラベル評価に対応するデータを受信することであって、コーティング色トラベル評価は、標的コーティングの１つ以上のコーティング色トラベル変数と各提案されたコーティング合致相手のそれぞれのコーティング色トラベル変数との間の類似性を示す、ことをさらに含み、全体的ランキングは、標的コーティングと各提案されたコーティング合致相手とに関するコーティング色トラベル評価の類似性も示す、側面３２に記載の方法。
【０１５８】
３８．  各提案されたコーティング合致相手のための効果テクスチャ評価は、各提案されたコーティング合致相手が標的コーティングよりも粗い、またはより微細であるかをさらに示す、側面３３に記載の方法。
【０１５９】
３９．  各提案されたコーティング合致相手のための効果テクスチャ評価は、各提案されたコーティング合致相手が標的コーティングを上回るテクスチャを有するか、または下回るテクスチャを有するかを示す、側面３３に記載の方法。
【０１６０】
４０．  スパークル色評価に基づいて表示される全体的ランキングは、標的コーティング内の第１の着色テクスチャスパークルの第２の着色テクスチャスパークルに対するスパークル色比率も示す、側面３２に記載の方法。
【０１６１】
４１．  コンピュータ実行可能命令を記憶している１つ以上のコンピュータ記憶媒体を備えているコンピュータプログラム製品であって、命令は、プロセッサにおいて実行されると、コンピュータシステムに塗料サンプルの種々の提案された塗料コーティングへの合致を表示する方法を実施させ、方法は、コーティング測定器具から標的コーティングの１つ以上のコーティングテクスチャ変数を受信することと、デジタルディスプレイデバイス上で、デジタルディスプレイデバイス上の複数のそれぞれの提案されたコーティング合致相手のための効果テクスチャ評価を表示することであって、効果テクスチャ評価は、標的コーティングの１つ以上のコーティングテクスチャ変数とそれぞれの提案されたコーティング合致相手の各々のそれぞれのコーティングテクスチャ変数との間の類似性を示す、ことと、提案されたコーティング合致相手を順序付けることであって、順序付けは、効果テクスチャ評価に関する標的コーティングと提案されたコーティング合致相手の各々との間の類似性における強度を示す、こととを含む。
【０１６２】
４２．  コンピューティングシステムにおける実行のためのコンピュータ化方法であって、コンピュータ化システムは、メモリと、少なくとも１つのプロセッサと、記憶デバイスとを備え、方法は、コーティングテクスチャに関連する未加工分光光度計データに基づいて、標的コーティングを別のコーティングに合致させるグラフィカルユーザインターフェースをディスプレイデバイス上に表示するためのものであり、方法は、標的コーティングの色を示すアイコンをグラフィカルユーザインターフェース上に表示することであって、アイコンは、標的物体に適用される標的コーティングに対する取得される未加工分光光度データに応答して、コンピューティングシステムによって選択される、ことと、データベース内に記憶されている事前決定されたコーティング情報に対する標的コーティングの潜在的合致相手の量を示す数字を表示することであって、合致相手は、標的コーティングからのテクスチャ変数および人が提供した印象データの相関に基づく、ことと、グラフィカルユーザインターフェース上に表示される各潜在的合致相手のために、潜在的合致相手を視覚的に表すアイコンを表示することと、スライダバーの視覚描写を表示することであって、スライダバーは、標的コーティングと潜在的合致相手との間の相対的テクスチャ差異を示す、ことと、標的コーティングに関連付けられる製造業者を視覚的に示す少なくとも１つのフィールドを表示することと、潜在的合致相手のための色値を視覚的に示す少なくとも１つのフィールドを表示することと、潜在的合致相手のためのテクスチャ値を視覚的に示す少なくとも１つのフィールドを表示することとを含む。
【０１６３】
本発明は、その精神または不可欠な特性から逸脱することなく、他の具体的形態において具現化され得る。説明される実施形態は、あらゆる点で例証的にすぎず、制限的ではないと見なされるべきである。本発明の範囲は、したがって、前述の説明によってではなく、添付される請求項によって示される。請求項の均等性の意味および範囲内に該当する全ての変更は、その範囲内に包含されるべきである。
【図１】
2019512674.tif 000003
【図２Ａ】
2019512674.tif 000004
【図２Ｂ】
2019512674.tif 000005
【図２Ｃ】
2019512674.tif 000006
【図３】
2019512674.tif 000007
【図４】
2019512674.tif 000008
【図５】
2019512674.tif 000009
【図６】
2019512674.tif 000010
【図７】
2019512674.tif 000011
【図８】
2019512674.tif 000012
【国際調査報告】
2019512674.tif 000013
2019512674.tif 000014
2019512674.tif 000015